(57)【要約】  本開示の実施例によるスロットオフセット特定方法において、ネットワーク機器から送信されるＣＳＩ報告要求情報を受信することと、前記ＣＳＩ報告要求情報に基づいて基準スロットオフセットＴを特定することと、前記基準スロットオフセットＴに基づいてＣＳＩ基準リソースのスロットオフセットを特定することとを含む。【選択図】図２Ａ
2021510963.tif 000002
【特許請求の範囲】
【請求項１】
端末機器に応用されるＵＥ（Ｕｓｅｒ  Ｅｑｕｉｐｍｅｎｔ）能力報告方法であって、
端末機器にサポートされるＣＳＩ（Ｃｈａｎｎｅｌ  Ｓｔａｔｕｓ  Ｉｎｆｏｒｍａｔｉｏｎ）報告タイプ、
端末機器にサポートされるＣＳＩ報告数の最大値、
端末機器にサポートされるＣＳＩ報告タイプの異なるヌメロロジー（ｎｕｍｅｒｏｌｏｇｙ）における少なくとも１つのＣＳＩ計算複雑度レベルに対応するＣＳＩ計算時間、及び、
端末機器にサポートされるＣＳＩ計算時間リストの識別子、のうちの１つ又は複数の組み合わせを含むＣＳＩ計算関連能力をネットワーク機器に報告することを含む、ＵＥ能力報告方法。
【請求項２】
前記ＣＳＩ計算関連能力は、
端末機器による同時更新が可能な、複数のＣＣ（Ｃｏｍｐｏｎｅｎｔ  Ｃａｒｒｉｅｒ）に属するＣＳＩ情報及び対応するＣＳＩ計算複雑度レベルでのＣＳＩ計算時間、及び、
端末機器による同時更新が可能な、異なるＣＳＩ報告タイプ又はＣＳＩ計算複雑度レベルのＣＳＩ報告組合せ情報及び対応するＣＳＩ計算時間、のうちの１つ又は複数の組み合わせを更に含む、請求項１に記載のＵＥ能力報告方法。
【請求項３】
端末機器に応用されるスロットオフセット特定方法であって、
ネットワーク機器から送信されたＣＳＩ報告要求情報を受信することと、
前記ＣＳＩ報告要求情報に基づいて基準スロットオフセットＴを特定することと、
前記基準スロットオフセットＴに基づいてＣＳＩ基準リソースのスロットオフセットを特定することとを含む、スロットオフセット特定方法。
【請求項４】
前記の前記ＣＳＩ報告要求情報に基づいて基準スロットオフセットＴを特定する前に、ネットワーク機器によって予め設定された基準スロットオフセットＴを受信することを更に含み、すると、
前記の前記ＣＳＩ報告要求情報に基づいて基準スロットオフセットＴを特定することは、
前記ＣＳＩ報告要求情報に基づいて、報告が必要な目標ＣＳＩ報告を特定することと、
前記目標ＣＳＩ報告にマッチングする基準スロットオフセットＴを、ネットワーク機器によって予め設定された基準スロットオフセットＴの中から特定することとを含む、請求項３に記載のスロットオフセット特定方法。
【請求項５】
前記の前記ＣＳＩ報告要求情報に基づいて基準スロットオフセットＴを特定することは、
前記ＣＳＩ報告要求情報に基づいてＣＳＩ報告のＣＳＩ計算時間を特定することと、
前記ＣＳＩ計算時間に基づいて基準スロットオフセットＴを特定することとを含む、請求項３に記載のスロットオフセット特定方法。
【請求項６】
前記の前記ＣＳＩ報告要求情報に基づいてＣＳＩ報告のＣＳＩ計算時間を特定することは、
前記ＣＳＩ報告要求情報に基づいて、ＣＳＩ報告に対応するヌメロロジー及びＣＳＩ計算複雑度レベルを特定することと、
前記ヌメロロジー及び前記ＣＳＩ計算複雑度レベルでのＣＳＩ報告のＣＳＩ計算時間を特定することとを含み、
ここで、前記の前記ヌメロロジー及び前記ＣＳＩ計算複雑度レベルでのＣＳＩ報告のＣＳＩ計算時間を特定することは、
端末機器のＣＳＩ計算関連能力に基づいて、前記ヌメロロジー及び前記ＣＳＩ計算複雑度レベルでのＣＳＩ報告のＣＳＩ計算時間を特定することと、
ネットワーク機器によって予めシグナリングで設定された前記ヌメロロジー及び前記ＣＳＩ計算複雑度レベルでのＣＳＩ報告のＣＳＩ計算時間を受信することと、
所定のＣＳＩ計算時間リストに基づいて、前記ヌメロロジー及び前記ＣＳＩ計算複雑度レベルでのＣＳＩ報告のＣＳＩ計算時間を特定することと、のうちのいずれか１つを含む、請求項５に記載のスロットオフセット特定方法。
【請求項７】
前記の前記ＣＳＩ計算時間に基づいて基準スロットオフセットＴを特定することは、
前記ＣＳＩ計算時間と、１つのスロットに含まれるＯＦＤＭシンボル数の比を特定することと、
前記比を切り上げて整数を得ることと、
前記整数を基準スロットオフセットＴとして特定することとを含む、請求項５に記載のスロットオフセット特定方法。
【請求項８】
前記の前記ＣＳＩ計算時間に基づいて基準スロットオフセットＴを特定することは、
ＣＳＩ報告要求情報に基づいて特定されたＣＳＩ報告が周期的又は半持続的ＣＳＩ報告である場合、前記ＣＳＩ計算時間に基づいて第１基準スロットオフセットＴ１を特定することを含む、請求項５〜７のいずれか１項に記載のスロットオフセット特定方法。
【請求項９】
前記の前記ＣＳＩ計算時間に基づいて基準スロットオフセットＴを特定することは、
ＣＳＩ報告要求情報に基づいて特定されたＣＳＩ報告が非周期的ＣＳＩ報告であり、且つネットワーク機器によってＤＣＩ（Ｄｏｗｎｌｉｎｋ  Ｃｏｎｔｒｏｌ  Ｉｎｆｏｒｍａｔｉｏｎ）で指示されるＣＳＩ報告スロットと、前記ＣＳＩ報告請求情報を含むＤＣＩが存在するスロットとが同一スロットでない場合、前記ＣＳＩ計算時間に基づいて第２基準スロットオフセットＴ２を特定することを含む、請求項５〜７のいずれか１項に記載のスロットオフセット特定方法。
【請求項１０】
複数のＣＳＩ報告があることをＣＳＩ報告要求情報によって指示し、複数のＣＳＩ報告のＣＳＩ計算時間に基づいて特定された基準スロットオフセットＴの数が複数である場合、
前記の前記基準スロットオフセットＴに基づいてＣＳＩ基準リソースのスロットオフセットを特定することは、特定された複数の基準スロットオフセットＴの最大値に基づいて、ＣＳＩ基準リソースのスロットオフセットを特定することを含み、
又は、
前記の前記基準スロットオフセットＴに基づいてＣＳＩ基準リソースのスロットオフセットを特定することは、特定された複数の基準スロットオフセットＴのうちの異なる基準スロットオフセットＴに基づいて、少なくとも２つのＣＳＩ基準リソースのスロットオフセットを特定することを含む、請求項５〜７のいずれか１項に記載のスロットオフセット特定方法。
【請求項１１】
端末機器にサポートされるＣＳＩ報告タイプ、
端末機器にサポートされるＣＳＩ報告数の最大値、
端末機器にサポートされるＣＳＩ報告タイプの異なるヌメロロジーにおける少なくとも１つのＣＳＩ計算複雑度レベルに対応するＣＳＩ計算時間、及び
端末機器にサポートされるＣＳＩ計算時間リストの識別子、のうちの１つ又は複数の組み合わせを含むＣＳＩ計算関連能力をネットワーク機器に報告することを更に含む、請求項３〜１０のいずれか１項に記載のスロットオフセット特定方法。
【請求項１２】
前記ＣＳＩ計算関連能力は、
端末機器による同時更新が可能な、複数のＣＣに属するＣＳＩ情報及び対応するＣＳＩ計算複雑度レベルでのＣＳＩ計算時間、及び、
端末機器による同時更新が可能な、異なるＣＳＩ報告タイプ又はＣＳＩ計算複雑度レベルのＣＳＩ報告組合せ情報及び対応するＣＳＩ計算時間、のうちの１つ又は複数の組み合わせを更に含む、請求項１１に記載のスロットオフセット特定方法。
【請求項１３】
ネットワーク機器に応用されるスロットオフセット特定方法であって、
端末機器が目標ＣＳＩ報告を生成するＣＳＩ計算時間を特定することと、
前記ＣＳＩ計算時間に基づいて基準スロットオフセットＴを特定することと、
前記基準スロットオフセットＴを前記端末機器に送信することとを含む、スロットオフセット特定方法。
【請求項１４】
前記の端末機器が目標ＣＳＩ報告を生成するＣＳＩ計算時間を特定することは、
端末機器から報告された、前記端末機器が目標ＣＳＩ報告を生成するＣＳＩ計算時間を受信することを含み、
又は、
前記の端末機器が目標ＣＳＩ報告を生成するＣＳＩ計算時間を特定することは、
端末機器から報告された、前記端末機器にサポートされるＣＳＩ計算時間リスト識別子を受信することと、
前記識別子に基づいて、所定のＣＳＩ計算時間リストセットから、前記識別子にマッチングする目標ＣＳＩ計算時間リストを特定することと、
前記目標ＣＳＩ計算時間リストから、目標ＣＳＩ報告にマッチングするＣＳＩ計算時間を見つけ出すこととを含む、請求項１３に記載のスロットオフセット特定方法。
【請求項１５】
前記の前記ＣＳＩ計算時間に基づいて基準スロットオフセットＴを特定することは、
前記ＣＳＩ計算時間と、１つのスロットに含まれるＯＦＤＭシンボル数の比を特定することと、
前記比を切り上げて整数を得ることと、
前記整数を基準スロットオフセットＴとして特定することとを含む、請求項１３に記載のスロットオフセット特定方法。
【請求項１６】
ネットワーク機器に応用されるスロットオフセット特定方法であって、
必要な端末機器の非周期的ＣＳＩ報告に対応するＣＳＩ計算時間を特定することと、
必要なＣＳＩ報告に対応する前記ＣＳＩ計算時間に基づいて、前記端末機器から非周期的ＣＳＩ報告を報告するスロットオフセットＹを特定することとを含む、スロットオフセット特定方法。
【請求項１７】
前記非周期的ＣＳＩ報告に対応するＣＳＩ計算時間は、
ネットワーク機器によって所定のＣＳＩ計算時間リストに基づいて特定されること、及び、
端末機器から報告されたＣＳＩ計算関連能力に基づいてネットワーク機器によって特定されることとのいずれか１つによって特定される、請求項１６に記載のスロットオフセット特定方法。
【請求項１８】
前記非周期的ＣＳＩ報告に対応するＣＳＩ計算時間が、端末機器から報告されたＣＳＩ計算関連能力に基づいてネットワーク機器によって特定される場合、
前記の必要な端末機器の非周期的ＣＳＩ報告に対応するＣＳＩ計算時間を特定する前に、
端末機器にサポートされるＣＳＩ報告タイプ、
端末機器にサポートされるＣＳＩ報告数の最大値、
端末機器にサポートされるＣＳＩ報告タイプの異なるヌメロロジーにおける少なくとも１つのＣＳＩ計算複雑度レベルのＣＳＩ計算複雑度、及び、
端末機器にサポートされるＣＳＩ計算時間リストの識別子、のうちの１つ又は複数の組み合わせを含む、端末機器から報告されたＣＳＩ計算関連能力を受信することを更に含む、請求項１７に記載のスロットオフセット特定方法。
【請求項１９】
端末機器から報告されたＣＳＩ計算関連能力に基づいて特定されたＣＳＩ計算時間を前記端末機器に設定することを更に含む、請求項１７に記載のスロットオフセット特定方法。
【請求項２０】
前記ＣＳＩ計算関連能力は、
端末機器による同時更新が可能な、複数のＣＣに属するＣＳＩ情報及び対応するＣＳＩ計算複雑度レベルでのＣＳＩ計算時間、及び、
端末機器による同時更新が可能な、異なるＣＳＩ報告タイプ又はＣＳＩ計算複雑度レベルのＣＳＩ報告組合せ情報及び対応するＣＳＩ計算時間、のうちの１つ又は複数の組み合わせを更に含む、請求項１７に記載のスロットオフセット特定方法。
【請求項２１】
前記の必要なＣＳＩ報告に対応する前記ＣＳＩ計算時間に基づいて、前記端末機器から非周期的ＣＳＩ報告を報告するスロットオフセットＹを特定することは、
非周期的ＣＳＩ報告に関連する非周期的ＣＳＩ−ＲＳ送信のタイムオフセットＸであって、前記非周期的ＣＳＩ報告要求情報の送信がトリガーされるＤＣＩのスロットと前記非周期的ＣＳＩ−ＲＳが送信されるスロットとの時間間隔である前記タイムオフセットＸを特定することと、
必要なＣＳＩ報告に対応する前記ＣＳＩ計算時間及び前記タイムオフセットＸに基づいて、前記端末機器から前記非周期的ＣＳＩを報告するスロットオフセットＹを特定することとを含む、請求項１６〜２０のいずれか１項に記載のスロットオフセット特定方法。
【請求項２２】
前記の必要なＣＳＩ報告に対応する前記ＣＳＩ計算時間及び前記タイムオフセットＸに基づいて、前記端末機器から前記非周期的ＣＳＩを報告するスロットオフセットＹを特定することは、
必要なＣＳＩ報告に対応する前記ＣＳＩ計算時間と、１つのスロットに含まれるＯＦＤＭシンボル数の比を特定することと、
前記比を切り上げて整数を得ることと、
前記整数、前記タイムオフセットＸ及びタイミングアドバンスＮに基づいて、前記端末機器から前記非周期的ＣＳＩを報告するスロットオフセットＹを特定することとを含む、請求項２１に記載のスロットオフセット特定方法。
【請求項２３】
端末機器であって、
端末機器にサポートされるＣＳＩ報告タイプ、
端末機器にサポートされるＣＳＩ報告数の最大値、
端末機器にサポートされるＣＳＩ報告タイプの異なるヌメロロジーにおける少なくとも１つのＣＳＩ計算複雑度レベルに対応するＣＳＩ計算時間、及び、
端末機器にサポートされるＣＳＩ計算時間リストの識別子、のうちの１つ又は複数の組み合わせを含むＣＳＩ計算関連能力をネットワーク機器に報告するためのＵＥ能力報告モジュールを含む、端末機器。
【請求項２４】
前記ＣＳＩ計算関連能力は、
端末機器による同時更新が可能な、複数のＣＣに属するＣＳＩ情報及び対応するＣＳＩ計算複雑度レベルでのＣＳＩ計算時間、及び、
端末機器による同時更新が可能な、異なるＣＳＩ報告タイプ又はＣＳＩ計算複雑度レベルのＣＳＩ報告組合せ情報及び対応するＣＳＩ計算時間、のうちの１つ又は複数の組み合わせを更に含む、請求項２３に記載の端末機器。
【請求項２５】
端末機器であって、
ネットワーク機器から送信されたＣＳＩ報告要求情報を受信するための第１受信モジュールと、
前記ＣＳＩ報告要求情報に基づいて基準スロットオフセットＴを特定するための第１特定モジュールと、
前記基準スロットオフセットＴに基づいてＣＳＩ基準リソースのスロットオフセットを特定するための第２特定モジュールとを含む、端末機器。
【請求項２６】
前記の前記ＣＳＩ報告要求情報に基づいて基準スロットオフセットＴを特定する前に、ネットワーク機器によって予め設定された基準スロットオフセットＴを受信するための第２受信モジュールを更に含み、すると、
前記第１特定モジュールは、具体的に、
前記ＣＳＩ報告要求情報に基づいて、報告が必要な目標ＣＳＩ報告を特定することと、
前記目標ＣＳＩ報告にマッチングする基準スロットオフセットＴを、ネットワーク機器によって予め設定された基準スロットオフセットＴの中から特定することとに用いられる、請求項２５に記載の端末機器。
【請求項２７】
前記第１特定モジュールは、具体的に、
前記ＣＳＩ報告要求情報に基づいてＣＳＩ報告のＣＳＩ計算時間を特定することと、
前記ＣＳＩ計算時間に基づいて基準スロットオフセットＴを特定することとに用いられる、請求項２５に記載の端末機器。
【請求項２８】
前記第１特定モジュールは、具体的に、
前記ＣＳＩ報告要求情報に基づいて、ＣＳＩ報告に対応するヌメロロジー及びＣＳＩ計算複雑度レベルを特定するための第１サブモジュールと、
前記ヌメロロジー及び前記ＣＳＩ計算複雑度レベルでのＣＳＩ報告のＣＳＩ計算時間を特定するための第２サブモジュールとを含み、
ここで、前記第２サブモジュールは、具体的に、
端末機器のＣＳＩ計算関連能力に基づいて、前記ヌメロロジー及び前記ＣＳＩ計算複雑度レベルでのＣＳＩ報告のＣＳＩ計算時間を特定することと、
ネットワーク機器によって予めシグナリングで設定された前記ヌメロロジー及び前記ＣＳＩ計算複雑度レベルでのＣＳＩ報告のＣＳＩ計算時間を受信することと、
所定のＣＳＩ計算時間リストに基づいて、前記ヌメロロジー及び前記ＣＳＩ計算複雑度レベルでのＣＳＩ報告のＣＳＩ計算時間を特定することと、のうちのいずれか１つによって、前記ヌメロロジー及び前記ＣＳＩ計算複雑度レベルでのＣＳＩ報告のＣＳＩ計算時間を特定することに用いられる、請求項２７に記載の端末機器。
【請求項２９】
前記第１特定モジュールは、具体的に、
前記ＣＳＩ計算時間と、１つのスロットに含まれるＯＦＤＭシンボル数の比を特定することと、
前記比を切り上げて整数を得ることと、
前記整数を基準スロットオフセットＴとして特定することとに用いられる、請求項２７に記載の端末機器。
【請求項３０】
前記第１特定モジュールは、具体的に、ＣＳＩ報告要求情報に基づいて特定されたＣＳＩ報告が周期的又は半持続的ＣＳＩ報告である場合、前記ＣＳＩ計算時間に基づいて第１基準スロットオフセットＴ１を特定することに用いられる、請求項２７〜２９のいずれか１項に記載の端末機器。
【請求項３１】
前記第１特定モジュールは、具体的に、ＣＳＩ報告要求情報に基づいて特定されたＣＳＩ報告が非周期的ＣＳＩ報告であり、且つネットワーク機器によってＤＣＩで指示されるＣＳＩ報告スロットと、前記ＣＳＩ報告請求情報を含むＤＣＩが存在するスロットとが同一スロットでない場合、前記ＣＳＩ計算時間に基づいて第２基準スロットオフセットＴ２を特定することに用いられる、請求項２７〜２９のいずれか１項に記載の端末機器。
【請求項３２】
前記第２特定モジュールは、具体的に、
複数のＣＳＩ報告があることをＣＳＩ報告要求情報によって指示し、複数のＣＳＩ報告のＣＳＩ計算時間に基づいて特定された基準スロットオフセットＴの数が複数である場合、特定された複数の基準スロットオフセットＴの最大値に基づいて、ＣＳＩ基準リソースのスロットオフセットを特定することに用いられ、
又は、
前記第２特定モジュールは、具体的に、複数のＣＳＩ報告があることをＣＳＩ報告要求情報によって指示し、複数のＣＳＩ報告のＣＳＩ計算時間に基づいて特定された基準スロットオフセットＴの数が複数である場合、特定された複数の基準スロットオフセットＴのうちの異なる基準スロットオフセットＴに基づいて、少なくとも２つのＣＳＩ基準リソースのスロットオフセットを特定することに用いられる、請求項２７〜２９のいずれか１項に記載の端末機器。
【請求項３３】
前記端末機器は、
ＵＥ能力報告モジュールを更に含み、
前記ＵＥ能力報告モジュールは、端末機器のＣＳＩ計算関連能力に基づいて、前記ヌメロロジー及び前記ＣＳＩ計算複雑度レベルでのＣＳＩ報告のＣＳＩ計算時間を特定する際に、且つ前記ＣＳＩ報告要求情報に基づいてＣＳＩ報告のＣＳＩ計算時間を特定する前に、ＣＳＩ計算関連能力をネットワーク機器に報告することに用いられ、
ここで、前記ＣＳＩ計算関連能力は、
端末機器にサポートされるＣＳＩ報告タイプ、
端末機器にサポートされるＣＳＩ報告数の最大値、
端末機器にサポートされるＣＳＩ報告タイプの異なるヌメロロジーにおける少なくとも１つのＣＳＩ計算複雑度レベルに対応するＣＳＩ計算時間、及び、
端末機器にサポートされるＣＳＩ計算時間リストの識別子、のうちの１つ又は複数の組み合わせを含む、請求項２８〜３２のいずれか１項に記載の端末機器。
【請求項３４】
前記ＣＳＩ計算関連能力は、
端末機器による同時更新が可能な、複数のＣＣに属するＣＳＩ情報及び対応するＣＳＩ計算複雑度レベルでのＣＳＩ計算時間、及び、
端末機器による同時更新が可能な、異なるＣＳＩ報告タイプ又はＣＳＩ計算複雑度レベルのＣＳＩ報告組合せ情報及び対応するＣＳＩ計算時間、のうちの１つ又は複数の組み合わせを更に含む、請求項３３に記載の端末機器。
【請求項３５】
ネットワーク機器であって、  
端末機器が目標ＣＳＩ報告を生成するＣＳＩ計算時間を特定するための第４特定モジュールと、
前記ＣＳＩ計算時間に基づいて基準スロットオフセットＴを特定するための第５特定モジュールと、
前記基準スロットオフセットＴを前記端末機器に送信するための送信モジュールとを含む、ネットワーク機器。
【請求項３６】
前記第４特定モジュールは、具体的に、
前記端末機器から報告された、前記端末機器が目標ＣＳＩ報告を生成するＣＳＩ計算時間を受信することに用いられ、
又は、
前記第４特定モジュールは、具体的に、
前記端末機器から報告された、前記端末機器にサポートされるＣＳＩ計算時間リスト識別子を受信することと、
前記識別子に基づいて、所定のＣＳＩ計算時間リストセットから、前記識別子にマッチングする目標ＣＳＩ計算時間リストを特定することと、
前記目標ＣＳＩ計算時間リストから、目標ＣＳＩ報告にマッチングするＣＳＩ計算時間を見つけ出すこととに用いられる、請求項３５に記載のネットワーク機器。
【請求項３７】
前記第５特定モジュールは、具体的に、
前記ＣＳＩ計算時間と、１つのスロットに含まれるＯＦＤＭシンボル数の比を特定することと、
前記比を切り上げて整数を得ることと、
前記整数を基準スロットオフセットＴとして特定することとに用いられる、請求項３５に記載のネットワーク機器。
【請求項３８】
ネットワーク機器であって、
必要な端末機器の非周期的ＣＳＩ報告に対応するＣＳＩ計算時間を特定するための計算時間特定モジュールと、
必要なＣＳＩ報告に対応する前記ＣＳＩ計算時間に基づいて、前記端末機器から非周期的ＣＳＩ報告を報告するスロットオフセットＹを特定するためのスロットオフセット特定モジュールとを含む、ネットワーク機器。
【請求項３９】
前記非周期的ＣＳＩ報告に対応するＣＳＩ計算時間は、
ネットワーク機器によって所定のＣＳＩ計算時間リストに基づいて特定されること、及び、
端末機器から報告されたＣＳＩ計算関連能力に基づいてネットワーク機器によって特定されることとのいずれか１つによって特定される、請求項３８に記載のネットワーク機器。
【請求項４０】
前記ネットワーク機器は、
前記非周期的ＣＳＩ報告に対応するＣＳＩ計算時間が、端末機器から報告されたＣＳＩ計算関連能力に基づいてネットワーク機器によって特定される場合、
前記の必要な端末機器の非周期的ＣＳＩ報告に対応するＣＳＩ計算時間を特定する前に、前記端末機器から報告された、ＣＳＩ計算関連能力を受信するためのＵＥ能力受信モジュールを更に含み、
ここで、前記ＣＳＩ計算関連能力は、
端末機器にサポートされるＣＳＩ報告タイプ、
端末機器にサポートされるＣＳＩ報告数の最大値、
端末機器にサポートされるＣＳＩ報告タイプの異なるヌメロロジーにおける少なくとも１つのＣＳＩ計算複雑度レベルの計算複雑度、及び、
端末機器にサポートされるＣＳＩ計算時間リストの識別子、のうちの１つ又は複数の組み合わせを含む、請求項３９に記載のネットワーク機器。
【請求項４１】
端末機器から報告されたＣＳＩ計算関連能力に基づいて特定されたＣＳＩ計算時間を前記端末機器に設定するための設定モジュールを更に含む、請求項４０に記載のネットワーク機器。
【請求項４２】
前記ＣＳＩ計算関連能力は、
端末機器による同時更新が可能な、複数のＣＣに属するＣＳＩ情報及び対応するＣＳＩ計算複雑度レベルでのＣＳＩ計算時間、及び、
端末機器による同時更新が可能な、異なるＣＳＩ報告タイプ又はＣＳＩ計算複雑度レベルのＣＳＩ報告組合せ情報及び対応するＣＳＩ計算時間、のうちの１つ又は複数の組み合わせを更に含む、請求項４０に記載のネットワーク機器。
【請求項４３】
前記スロットオフセット特定モジュールは、
非周期的ＣＳＩ報告に関連する非周期的ＣＳＩ−ＲＳ送信のタイムオフセットＸであって、前記非周期的ＣＳＩ報告要求情報の送信がトリガーされるＤＣＩのスロットと前記非周期的ＣＳＩ−ＲＳが送信されるスロットとの時間間隔である前記タイムオフセットＸを特定するための時間間隔特定サブモジュールと、
必要なＣＳＩ報告に対応する前記ＣＳＩ計算時間及び前記タイムオフセットＸに基づいて、前記端末機器から前記非周期的ＣＳＩを報告するスロットオフセットＹを特定するためのスロットオフセットＹ特定サブモジュールとを含む、請求項３８〜４２のいずれか１項に記載のネットワーク機器。
【請求項４４】
前記スロットオフセットＹ特定サブモジュールは、具体的に、
必要なＣＳＩ報告に対応する前記ＣＳＩ計算時間と、１つのスロットに含まれるＯＦＤＭシンボル数の比を特定することと、
前記比を切り上げて整数を得ることと、
前記整数、前記タイムオフセットＸ及びタイミングアドバンスＮに基づいて、前記端末機器から前記非周期的ＣＳＩを報告するスロットオフセットＹを特定することとに用いられる、請求項４３に記載のネットワーク機器。
【請求項４５】
メモリと、プロセッサと、前記メモリに記憶され、前記プロセッサで動作する無線通信プログラムとを含む端末機器であって、
前記無線通信プログラムが前記プロセッサによって実行されると、請求項１〜１２のいずれか１項に記載の方法が実現される、端末機器。
【請求項４６】
プロセッサと、メモリと、前記メモリに記憶され、前記プロセッサで動作するコンピュータプログラムとを含むネットワーク機器であって、
前記コンピュータプログラムが前記プロセッサによって実行されると、請求項１３〜２２のいずれか１項に記載のスロットオフセット特定方法が実現される、ネットワーク機器。
【請求項４７】
無線通信プログラムが記憶されているコンピュータ読み取り可能な記憶媒体であって、
前記無線通信プログラムがプロセッサによって実行されると、請求項１〜２２のいずれか１項に記載の方法が実現される、コンピュータ読み取り可能な記憶媒体。
【発明の詳細な説明】
【技術分野】
【０００１】
本願は、２０１８年１月１２日に中国特許庁に提出された中国特許出願２０１８１００３２７１６．８の優先権を主張し、その全ての内容が援用により本願に取り込まれる。
本開示は、通信技術分野に係り、特にＵＥ能力報告方法、スロットオフセット特定方法及び機器に係る。
【背景技術】
【０００２】
５Ｇ（５ｔｈ−Ｇｅｎｅｒａｔｉｏｎ）移動通信システムのＴＳ３８．２１４プロトコルでは、ＵＥ（Ｕｓｅｒ  Ｅｑｕｉｐｍｅｎｔ）に対し１つのＣＳＩリソースセット（ＣＳＩ  ｒｅｓｏｕｒｃｅ  ｓｅｔ）が設定されている場合、１つのサービングセルの時間領域上のＣＳＩ基準リソース（ＣＳＩ  ｒｅｆｅｒｅｎｃｅ  ｒｅｓｏｕｒｃｅ）は、下りスロットｎ−ｎＣＱＩ＿ｒｅｆ（ｎは、ＵＥからネットワーク機器にＣＳＩを報告するスロットであり、ｎＣＱＩ＿ｒｅｆは、スロットオフセットである）として定義される。
【０００３】
また、ＵＥから報告されたＣＳＩが周期的及び半持続的ＣＳＩ報告である場合、ｎＣＱＩ＿ｒｅｆは、Ｔ１以上の最小値であり、且つ１つの有効な下りスロットに対応する。ＵＥから報告されたＣＳＩが非周期的ＣＳＩ報告である場合、ＵＥがＣＳＩ要求（ＣＳＩ  ｒｅｑｕｅｓｔ）の同一スロットでＣＳＩを報告するように、ネットワーク機器によってＤＣＩ（Ｄｏｗｎｌｉｎｋ  Ｃｏｎｔｒｏｌ  Ｉｎｆｏｒｍａｔｉｏｎ）で指示すると、ｎＣＱＩ＿ｒｅｆは、０である。そうでない場合、ｎＣＱＩ＿ｒｅｆは、Ｔ２以上の最小値であり、且つ１つの有効な下りスロットに対応する。
【０００４】
説明の便宜上、Ｔ１とＴ２は、ＣＳＩ基準リソースの基準スロットオフセットＴと呼んでもよい。
【０００５】
有効な下りスロットとは、当該スロットがＵＥにとって下りスロットであり、当該スロットが当該ＵＥのために設定された測定ギャップに存在せず、当該スロットの下りＢＷＰ（Ｂａｎｄ  Ｗｉｄｔｈ  Ｐａｒｔ）がＣＳＩ報告に対応する下りＢＷＰと一致するという条件を満たすスロットをいう。
【０００６】
ＴＳ３８．２１４プロトコルではＴ１及びＴ２について明示的に規定されていないので、当業者は、ｎＣＱＩ＿ｒｅｆを特定するために、ＬＴＥ（Ｌｏｎｇ−Ｔｅｒｍ  Ｅｖｏｌｕｔｉｏｎ）システムにおけるＴ１及びＴ２値を常に参照する。しかしながら、ＬＴＥでは、Ｔ１とＴ２が４スロットのような固定値として規定されており、この固定値を参照してｎＣＱＩ＿ｒｅｆを特定すると、特定されたｎＣＱＩ＿ｒｅｆが十分に柔軟でなくなり、ネットワーク機器がＵＥに設定するＣＳＩ基準リソースと、ＵＥ自身がＣＳＩを計算する能力とが一致しなくなる。
【発明の概要】
【発明が解決しようとする課題】
【０００７】
第１方面において、本開示の実施例は、端末機器に応用されるＵＥ能力報告方法を提供する。前記方法において、端末機器にサポートされるＣＳＩ報告タイプ、端末機器にサポートされるＣＳＩ報告数の最大値、端末機器にサポートされるＣＳＩ報告タイプの異なるヌメロロジーにおける少なくとも１つのＣＳＩ計算複雑度レベルに対応するＣＳＩ計算時間、及び、端末機器にサポートされるＣＳＩ計算時間リストの識別子のうちの１つ又は複数の組み合わせを含むＣＳＩ計算関連能力をネットワーク機器に報告することを含む。
【０００８】
第２方面において、本開示の実施例は、端末機器に応用されるスロットオフセット特定方法を提供する。前記方法において、ネットワーク機器から送信されたＣＳＩ報告要求情報を受信することと、前記ＣＳＩ報告要求情報に基づいて基準スロットオフセットＴを特定することと、前記基準スロットオフセットＴに基づいてＣＳＩ基準リソースのスロットオフセットを特定することとを含む。
【０００９】
第３方面において、本開示の実施例は、ネットワーク機器に応用されるスロットオフセット特定方法を提供する。前記方法において、端末機器が目標ＣＳＩ報告を生成するＣＳＩ計算時間を特定することと、前記ＣＳＩ計算時間に基づいて基準スロットオフセットＴを特定することと、前記基準スロットオフセットＴを前記端末機器に送信することとを含む。
【００１０】
第４方面において、本開示の実施例は、ネットワーク機器に応用されるスロットオフセット特定方法を提供する。前記方法において、必要な端末機器の非周期的ＣＳＩ報告に対応するＣＳＩ計算時間を特定することと、必要なＣＳＩ報告に対応する前記ＣＳＩ計算時間に基づいて、前記端末機器から非周期的ＣＳＩ報告を報告するスロットオフセットＹを特定することとを含む。
【００１１】
第５方面において、本開示の実施例は、端末機器を提供する。この端末機器は、端末機器にサポートされるＣＳＩ報告タイプ、端末機器にサポートされるＣＳＩ報告数の最大値、端末機器にサポートされるＣＳＩ報告タイプの異なるヌメロロジーにおける少なくとも１つのＣＳＩ計算複雑度レベルに対応するＣＳＩ計算時間、及び、端末機器にサポートされるＣＳＩ計算時間リストの識別子のうちの１つ又は複数の組み合わせを含むＣＳＩ計算関連能力をネットワーク機器に報告するためのＵＥ能力報告モジュールを含む。
【００１２】
第６方面において、本開示の実施例は、端末機器を提供する。この端末機器は、ネットワーク機器から送信されたＣＳＩ報告要求情報を受信するための第１受信モジュールと、前記ＣＳＩ報告要求情報に基づいて基準スロットオフセットＴを特定するための第１特定モジュールと、前記基準スロットオフセットＴに基づいてＣＳＩ基準リソースのスロットオフセットを特定するための第２特定モジュールとを含む。
【００１３】
第７方面において、本開示の実施例は、ネットワーク機器を提供する。このネットワーク機器は、端末機器が目標ＣＳＩ報告を生成するＣＳＩ計算時間を特定するための第４特定モジュールと、前記ＣＳＩ計算時間に基づいて基準スロットオフセットＴを特定するための第５特定モジュールと、前記基準スロットオフセットＴを前記端末機器に送信するための送信モジュールとを含む。
【００１４】
第８方面において、本開示の実施例は、ネットワーク機器を提供する。このネットワーク機器は、必要な端末機器の非周期的ＣＳＩ報告に対応するＣＳＩ計算時間を特定するための計算時間特定モジュールと、必要なＣＳＩ報告に対応する前記ＣＳＩ計算時間に基づいて、前記端末機器から非周期的ＣＳＩ報告を報告するスロットオフセットＹを特定するためのスロットオフセット特定モジュールとを含む。
【００１５】
第９方面において、本開示の実施例は、端末機器を提供する。この端末機器は、メモリと、プロセッサと、前記メモリに記憶され、前記プロセッサで動作する無線通信プログラムとを含む。前記無線通信プログラムが前記プロセッサによって実行されると、第１方面又は第２方面に記載の方法のステップが実現される。
【００１６】
第１０方面において、本開示の実施例は、ネットワーク機器を提供する。このネットワーク機器は、プロセッサと、メモリと、前記メモリに記憶され、前記プロセッサで動作するコンピュータプログラムとを含む。前記コンピュータプログラムが前記プロセッサによって実行されると、第３方面又は第４方面に記載の方法のステップが実現される。
【００１７】
第１１方面において、本開示の実施例は、無線通信プログラムが記憶されているコンピュータ読み取り可能な記憶媒体を提供する。前記無線通信プログラムがプロセッサによって実行されると、第１方面〜第４方面のいずれか１つに記載の方法のステップが実現される。
【００１８】
本開示の実施例の技術手段をより明確に説明するために、本開示の実施例の説明に必要な図面を簡単に説明する。以下の説明における図面は、本開示の一部の実施例にすぎない。当業者にとって、創造性のある作業をすることなく、これらの図面から他の図面も得られることは、明らかである。
【図面の簡単な説明】
【００１９】
【図１】本開示の１つの実施例によるＵＥ能力報告方法のフローチャートである。
【図２Ａ】本開示の１つの実施例によるスロットオフセット特定方法のフローチャートである。
【図２Ｂ】本開示の他の実施例によるスロットオフセット特定方法のフローチャートである。
【図３】本開示のまた別の実施例によるスロットオフセット特定方法のフローチャートである。
【図４】本開示の１つの実施例による端末機器の構造図である。
【図５Ａ】本開示の１つの実施例による端末機器の構造図である。
【図５Ｂ】本開示の１つの実施例によるネットワーク機器の構造図である。
【図６】本開示の１つの実施例によるネットワーク機器の構造図である。
【図７】本開示の他の実施例による端末機器の構造図である。
【図８】本開示の他の実施例によるネットワーク機器の構造図である。
【発明を実施するための形態】
【００２０】
本願の技術手段を当業者によりよく理解してもらうために、以下、本願の実施例の図面を参照しながら、本願の実施例の技術手段を明確且つ完全的に説明する。明らかに、説明する実施例は、本願の実施例の一部であり、全てではない。本願の実施例に基づき、当業者が創造性のある作業をすることなく為しえる全てのほかの実施例は、いずれも本開示の保護範囲に属するものである。
【００２１】
本開示の実施例の技術手段は、例えば、ＧＳＭ（Ｇｌｏｂａｌ  Ｓｙｓｔｅｍ  ｏｆ  Ｍｏｂｉｌｅ  ｃｏｍｍｕｎｉｃａｔｉｏｎ）システム、ＣＤＭＡ（Ｃｏｄｅ  Ｄｉｖｉｓｉｏｎ  Ｍｕｌｔｉｐｌｅ  Ａｃｃｅｓｓ）システム、ＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）システム、ＧＰＲＳ（Ｇｅｎｅｒａｌ  Ｐａｃｋｅｔ  Ｒａｄｉｏ  Ｓｅｒｖｉｃｅ）、ＬＴＥ（Ｌｏｎｇ  Ｔｅｒｍ  Ｅｖｏｌｕｔｉｏｎ）システム、ＬＴＥ  ＦＤＤ（Ｆｒｅｑｕｅｎｃｙ  Ｄｉｖｉｓｉｏｎ  Ｄｕｐｌｅｘ）システム、ＬＴＥ  ＴＤＤ（Ｔｉｍｅ  Ｄｉｖｉｓｉｏｎ  Ｄｕｐｌｅｘ）、ＵＭＴＳ（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）又はＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）通信システム、５Ｇシステム、又はＮＲ（Ｎｅｗ  Ｒａｄｉｏ）システムなどの様々な通信システムに応用できることが理解されるべきである。
【００２２】
移動端末（Ｍｏｂｉｌｅ  Ｔｅｒｍｉｎａｌ）、移動端末機器などとも呼ばれるＵＥ（Ｕｓｅｒ  Ｅｑｕｉｐｍｅｎｔ）は、無線アクセスネットワーク（例えばＲＡＮ（Ｒａｄｉｏ  Ａｃｃｅｓｓ  Ｎｅｔｗｏｒｋ））を介して１つ以上のコアネットワークと通信することができる。端末機器は、移動電話（又は「セルラ」電話と呼ばれる）などの移動端末、及び、移動端末を有するコンピュータであり、例えば携帯型、ポケット型、ハンドヘルド型、コンピュータ内蔵型又は車載型のモバイルデバイスであり、無線アクセスネットワークと言語及び／又はデータを交換する。
【００２３】
ネットワーク機器は、端末機器に無線通信機能を提供するために無線アクセスネットワーク機器に配備される装置である。前記ネットワーク機器は、基地局であってもよい。前記基地局は、ＧＳＭ又はＣＤＭＡの基地局（ＢＴＳ（Ｂａｓｅ  Ｔｒａｎｓｃｅｉｖｅｒ  Ｓｔａｔｉｏｎ））であってもよく、ＷＣＤＭＡの基地局（ＮｏｄｅＢ）であってもよく、ＬＴＥの進化型基地局（ｅＮＢ又はｅ−ＮｏｄｅＢ、ｅｖｏｌｕｔｉｏｎａｌ  Ｎｏｄｅ  Ｂ）及び５Ｇ基地局（ｇＮＢ）であってもよい。
【００２４】
以下、本開示の各実施例の技術手段を図面に基づいて詳細に説明する。
【００２５】
図１は、本開示の１つの実施例によるＵＥ能力報告方法を示す。図１に示すように、このＵＥ能力報告方法は、ＣＳＩ計算関連能力をネットワーク機器に報告するステップ１０１を含む。
【００２６】
ここで、前記ＣＳＩ計算関連能力は、端末機器にサポートされるＣＳＩ報告タイプ、端末機器にサポートされるＣＳＩ報告数の最大値、端末機器にサポートされるＣＳＩ報告タイプの異なるヌメロロジー（ｎｕｍｅｒｏｌｏｇｙ）における少なくとも１つのＣＳＩ計算複雑度レベルに対応するＣＳＩ計算時間、及び、端末機器にサポートされるＣＳＩ計算時間リストの識別子のうちの１つ又は複数の組み合わせを含む。
【００２７】
より詳細には、端末機器にサポートされるＣＳＩ報告タイプは、端末機器にサポートされる報告内容タイプ及び使用されるコードブックタイプなどを含む。すなわち、端末機器にサポートされる報告内容タイプ及び使用されるコードブックタイプに基づいて、端末機器にサポートされるＣＳＩ報告タイプを区分することができる。
【００２８】
例えば、ＣＳＩ報告タイプは、報告内容によってＣＲＩ／ＲＩ／ＰＭＩ／ＣＱＩ、ＣＲＩ／ＲＩ／ｉ１、ＣＲＩ／ＲＩ／ｉ１／ＣＱＩ、ＣＲＩ／ＲＩ／ＣＱＩ、ＣＲＩ、ＣＲＩ／ＲＳＲＰ、ＣＲＩ／ＲＩ／ＳＬＩ／ＰＭＩ／ＣＱＩなどのタイプに区分される。ＣＳＩ報告にＰＭＩ報告が含まれる場合、ＣＳＩ報告タイプは、使用されるコードブックタイプに基づいてＴｙｐｅ−Ｉ又はＴｙｐｅ−ＩＩなどのタイプに区分され得る。
【００２９】
ここで、ＣＲＩは、ＣＳＩ−ＲＳリソース指示（ＣＳＩ−ＲＳ  Ｒｅｓｏｕｒｃｅ  Ｉｎｄｉｃａｔｏｒ）であり、ＣＳＩ−ＲＳは、ＣＳＩ基準信号（ＣＳＩ  ｒｅｆｅｒｅｎｃｅ  ｓｉｇｎａｌ）である。ＲＩは、ランク指示（Ｒａｎｋ  Ｉｎｄｉｃａｔｏｒ）である。ＣＱＩは、チャネル品質指示（Ｃｈａｎｎｅｌ  Ｑｕａｌｉｔｙ  Ｉｎｄｉｃａｔｏｒ）である。ＰＭＩは、プリコーディング行列指示（Ｐｒｅｃｏｄｉｎｇ  ＭａｔｒｉｘＩｎｄｉｃａｔｏｒ）である。ＳＬＩは、最も強い層の指示（ＳｔｒｏｎｇｅｓｔＬａｙｅｒＩｎｄｉｃａｔｏｒ）である。ＲＳＲＰは、基準信号受信電力（ＲｅｆｅｒｅｎｃｅＳｉｇｎａｌＲｅｃｅｉｖｅｄＰｏｗｅｒ）である。ｉ１は、第１レベルのコードブック指示である。
【００３０】
もちろん、端末機器にサポートされるＣＳＩ報告タイプは、ＣＳＩ計算複雑度レベル及びヌメロロジーによって区分されてもよいが、これに対し、本開示の実施例において限定しない。
【００３１】
ヌメロロジーは、ＣＳＩ報告要求情報（ＣＳＩ  ｒｅｑｕｅｓｔ）において付帯するＢＷＰ（ＢａｎｄＷｉｄｔｈ  Ｐａｒｔ）情報に基づいて特定され、具体的には、ＣＳＩ報告要求情報において付帯するＳＣＳ（ＳｕｂＣａｒｒｉｅｒ  Ｓｐａｃｉｎｇ）及びＣＰ（Ｃｙｃｌｉｃ  Ｐｒｅｆｉｘ）によって特定される。ここで、ＳＣＳは、例えば、１５ＫＨｚ、３０ＫＨｚ、６０ＫＨｚ、１２０ＫＨｚなどである。
【００３２】
ここで、周期的ＣＳＩ（Ｐｅｒｉｏｄｉｃ  ＣＳＩ）報告については、ＣＳＩ報告要求情報は、ＲＲＣ（Ｒａｄｉｏ  Ｒｅｓｏｕｒｃｅ  Ｃｏｎｔｒｏｌ）シグナリングＲｅｐｏｒｔＣｏｎｆｉｇによって設定されてもよい。半持続的ＣＳＩ（Ｓｅｍｉ−Ｐｅｒｓｉｓｔｅｎｔ  ＣＳＩ）報告については、ＤＣＩ（Ｄｏｗｎｌｉｎｋ  Ｃｏｎｔｒｏｌ  Ｉｎｆｏｒｍａｔｉｏｎ）によって活性化されてもよい。非周期的ＣＳＩ（Ａｐｅｒｉｏｄｉｃ  ＣＳＩ）報告については、ＤＣＩによってトリガされてもよい。端末機器は、周期性、ＣＳＩ報告タイプ及び使用されるコードブックタイプなどを含む、ネットワーク機器に必要なＣＳＩ報告の情報を、ＣＳＩ報告要求情報から取得することができる。
【００３３】
端末機器で複数のＣＳＩ報告（複数のタイプ又は複数のＣＳＩ計算複雑度レベル又は複数のヌメロロジーでの複数のＣＳＩ報告であってもよく、同一ＣＳＩ報告タイプでの複数のＣＳＩ報告であってもよい）の生成が同時にサポートされる場合、上記端末機器にサポートされるＣＳＩ報告タイプの異なるヌメロロジーにおける少なくとも１つのＣＳＩ計算複雑度レベルに対応するＣＳＩ計算時間は、複数のＣＳＩ報告がそれぞれ異なるヌメロロジーで少なくとも１つのＣＳＩ計算複雑度レベルに対応するＣＳＩ計算時間である。
【００３４】
ＣＳＩ計算時間は、ＣＳＩ報告を計算し取得するのに必要なＯＦＤＭシンボル数であることが理解される。ＣＳＩ計算時間の長さは、ＣＳＩ計算複雑度を反映する。一般に、ＣＳＩ計算時間が長ければ長いほど、ＣＳＩ計算複雑度のレベルが高いことを示すが、逆にＣＳＩ計算時間が短ければ短いほど、ＣＳＩ計算複雑度のレベルが低いことを示す。
【００３５】
端末機器にサポートされるＣＳＩ計算時間リストの識別子は、端末機器の出荷時に端末機器の製造メーカーが設定したＣＳＩ計算時間リストの識別子である。標準あるいはプロトコル上、異なる端末機器の能力に対応した表１のような複数のＣＳＩ計算時間リストを規定できる。それによって、端末機器のメーカーは、製造した端末機器の能力に基づいて、この端末機器にサポートされるＣＳＩ計算時間リストの識別子をこの端末機器に設定する。更に、ネットワーク機器は、この端末機器にサポートされるＣＳＩ計算時間リストの識別子を端末機器から受信すると、この識別子に準拠し、標準あるいはプロトコルに規定された複数のＣＳＩ計算時間リストから、この端末機器にサポートされるＣＳＩ計算時間リストを特定し、この端末機器が対応するＣＳＩ報告を生成する際のＣＳＩ計算時間を特定することができる。
【００３６】
選択可能に、前記ＣＳＩ計算関連能力は、
端末機器による同時更新が可能な、複数のＣＣ（Ｃｏｍｐｏｎｅｎｔ  Ｃａｒｒｉｅｒ）に属するＣＳＩ情報及び対応するＣＳＩ計算複雑度レベル及びヌメロロジーでのＣＳＩ計算時間、及び、
端末機器による同時更新が可能な、異なるＣＳＩ報告タイプ、又はＣＳＩ計算複雑度レベル及びヌメロロジーでのＣＳＩ報告組合せ情報及び対応するＣＳＩ計算時間、のうちの１つ又は複数の組み合わせを更に含む。
【００３７】
ここで、端末機器による同時更新が可能な、複数のＣＣに属するＣＳＩ情報は、同時更新が可能なＣＣの最大数、及び同時更新が可能なＣＣ自身の情報などを含む。
【００３８】
端末機器による同時更新が可能な、異なるＣＳＩ報告タイプ又はＣＳＩ計算複雑度レベルのＣＳＩ報告組合せ情報は、端末機器による同時更新が可能な異なるＣＳＩ報告タイプの様々な可能性のあるＣＳＩ組み合わせ、各ＣＳＩ組み合わせで端末機器がサポート可能なＣＣの数、及び端末機器がサポート可能なＣＣの最大数などを含む。例えば、１つのＣＳＩ組み合わせ情報は、同時更新の第１ＣＣでのＴｙｐｅ−ＩＩコードブックタイプのＣＳＩ、ほかの複数のＣＣでのＴｙｐｅ−Ｉコードブックタイプ、及びこの組み合わせで端末機器がサポート可能なＣＣの数を含む。また、例えば、端末機器による同時更新が可能なＣＳＩ組み合わせは、１つのＴｙｐｅ−ＩＩコードブックタイプのＣＳＩと複数のＴｙｐｅ−ＩコードブックタイプのＣＳＩである。又は、例えば、端末機器による同時更新が可能なＣＳＩ組み合わせは、２つのＴｙｐｅ−ＩＩコードブックタイプのＣＳＩと複数のＴｙｐｅ−ＩコードブックタイプのＣＳＩである。
【００３９】
ＣＳＩのタイプによってその計算複雑度が異なる場合と、端末機器によってその処理能力が異なる場合とがあるため、各端末機器が同じタイプのＣＳＩを計算しても、各端末機器に必要な計算時間が同じになるとは限らず、すなわち、各端末機器のＣＳＩ計算能力が異なる可能性がある。
【００４０】
従来技術のネットワーク機器は、各端末機器のＣＳＩ計算能力を考慮していないが、本開示の実施例では、与えられたヌメロロジー及びＣＳＩ計算複雑度レベルで、ＰＵＳＣＨ（Ｐｈｙｓｉｃａｌ  Ｕｐｌｉｎｋ  Ｓｈａｒｅｄ  Ｃｈａｎｎｅｌ）でＳＣＩのみ（データを含まない）が送信されると仮定し、非周期的ＣＳＩ報告トリガを例に、ＣＳＩ報告トリガ指示を含むＤＣＩを受信し、ＰＤＣＣＨ（Ｐｈｙｓｉｃａｌ  Ｄｏｗｎｌｉｎｋ  Ｃｏｎｔｒｏｌ  Ｃｈａｎｎｅｌ）検出復号、チャネル推定及びＣＳＩ計算に必要な最小ＯＦＤＭシンボル数を主に参照してＣＳＩ計算時間Ｚを特定する。これらの要因は、端末機器のＣＳＩ計算関連能力を反映したものであり、端末機器がより適切なタイミングでＣＳＩ報告をネットワーク機器に報告できるようにすることができる。
【００４１】
本開示の実施例によるＵＥ能力報告方法は、ＣＳＩ計算関連能力をネットワーク機器に報告できる。そのため、ネットワーク機器は、端末機器の実際の能力に基づいて端末機器にＣＳＩ報告を要求することができる。これによって、ネットワーク機器が端末機器にＣＳＩ要求を設定する柔軟性を向上させるだけでなく、端末機器がＣＳＩを計算する時間を自らの計算能力に適応させることができる。これによって、端末機器がより適切なタイミングでＣＳＩ報告をネットワーク機器に報告し、時間領域リソースの無駄を招くことなく、また、計算時間が不足して更新済みのＣＳＩ報告をネットワーク機器に報告できなくなることがなくなり、端末機器がＣＳＩ報告をフィードバックする効率を向上させることができる。
【００４２】
図２Ａは、本開示の１つの実施例のスロットオフセット特定方法を示す。この方法も、端末機器に応用される。図２Ａに示すように、この方法は、以下のステップを含む。
【００４３】
ステップ２０１において、ネットワーク機器から送信されたＣＳＩ報告要求情報を受信する。
【００４４】
通常の場合、ネットワーク機器から送信されたＣＳＩ報告要求情報（ＣＳＩ  ｒｅｑｕｅｓｔ）は、ＣＳＩ報告の数、各ＣＳＩ報告のタイプ、端末機器による使用が求められるコードブックタイプ、及びＣＳＩ報告帯域幅などの情報を含む。端末機器は、これらの情報からＣＳＩ計算時間を特定することができる。
【００４５】
ステップ２０２において、前記ＣＳＩ報告要求情報に基づいて基準スロットオフセットＴを特定する。
【００４６】
１つの具体的な実施例において、ステップ２０２の前に、前記方法は、ネットワーク機器によって予め設定された基準スロットオフセットＴを受信することを更に含む。すると、ステップ２０２は、具体的に、前記ＣＳＩ報告要求情報に基づいて、報告が必要な目標ＣＳＩ報告を特定することと、前記目標ＣＳＩ報告にマッチングする基準スロットオフセットＴを、ネットワーク機器によって予め設定された基準スロットオフセットＴの中から特定することとを含む。
【００４７】
他の具体的な実施例において、ステップ２０２は、具体的に、前記ＣＳＩ報告要求情報に基づいてＣＳＩ報告のＣＳＩ計算時間を特定することと、前記ＣＳＩ計算時間に基づいて基準スロットオフセットＴを特定することとを含む。
【００４８】
ここで、前記ＣＳＩ報告要求情報に基づいてＣＳＩ報告のＣＳＩ計算時間を特定することは、まず、前記ＣＳＩ報告要求情報に基づいて、ＣＳＩ報告に対応するヌメロロジー及びＣＳＩ計算複雑度レベルを特定し、それから、前記ヌメロロジー及び前記ＣＳＩ計算複雑度レベルでのＣＳＩ報告のＣＳＩ計算時間を特定することを含む。
【００４９】
より詳細には、前記ヌメロロジー及び前記ＣＳＩ計算複雑度レベルでのＣＳＩ報告のＣＳＩ計算時間Ｚを特定することは、具体的に、以下３種類の方式のうちのいずれか１つによって特定される。
【００５０】
方式１：端末機器のＣＳＩ計算関連能力に基づいて、前記ヌメロロジー及び前記ＣＳＩ計算複雑度レベルでのＣＳＩ報告のＣＳＩ計算時間Ｚを特定する。
【００５１】
端末機器のＣＳＩ計算関連能力の具体的な内容は、図１に示す実施例の記載に一致するため、重複を避けるために、ここでは繰り返して記載しない。
【００５２】
方式２：ネットワーク機器によって予めシグナリングで設定された前記ヌメロロジー及び前記ＣＳＩ計算複雑度レベルでのＣＳＩ報告のＣＳＩ計算時間Ｚを受信する。
【００５３】
具体的にネットワーク機器によって予めＤＣＩシグナリングで設定された前記ヌメロロジー及び前記ＣＳＩ計算複雑度レベルでのＣＳＩ報告のＣＳＩ計算時間Ｚを受信する。
【００５４】
方式３：所定のＣＳＩ計算時間リストに基づいて、前記ヌメロロジー及び前記ＣＳＩ計算複雑度レベルでのＣＳＩ報告のＣＳＩ計算時間Ｚを特定する。
【００５５】
所定のＣＳＩ計算時間リストは、従来のプロトコルに基づいて規定されたＣＳＩ時間特定リストである。プロトコルで規定されたＣＳＩ時間特定リストは、表１のように示されている。
【００５６】
【表１】
2021510963.tif 000003
【００５７】
表１において、異なるＣＳＩ計算複雑度レベル及びサブキャリア間隔ＳＣＳに対応するＣＳＩ計算時間Ｚが規定され、Ｚの単位は、ＯＦＤＭシンボルである。表１において、任意のサブキャリア間隔ＳＣＳは、１つの低い複雑度１でのＣＳＩ計算時間Ｚに対応し、具体的な適用シナリオは、規定されていない。この適用シナリオは、例えば最大２ポートＣＳＩ−ＲＳのＴｙｐｅ−Ｉコードブックタイプのシナリオ、又は最大８ポートＣＳＩ−ＲＳのＰＭＩフィードバックなしシナリオなどである。任意のサブキャリア間隔ＳＣＳは、１つの高複雑度でのＣＳＩ計算時間Ｚに対応し、具体的な適用場面も規定されていない。
【００５８】
上記表１に示す各ＣＳＩ計算複雑度レベル及びサブキャリア間隔ＳＣＳでのＣＳＩ計算時間Ｚは、端末機器が満たすべき最低限の要件、すなわち、全ての端末機器が満たすべき基準である。もちろん、端末機器自体の計算能力が比較的大きい場合には、各ＣＳＩ計算複雑度レベル及びサブキャリア間隔ＳＣＳでのＣＳＩ計算時間Ｚは、表１の対応する数値よりも小さくてもよい。又は、プロトコルでは、Ｚ値が異なる複数のテーブルを規定してもよく、Ｚ値は、異なる計算能力のＵＥにそれぞれ対応する。
【００５９】
具体的には、前記ＣＳＩ計算時間と、１つのスロットに含まれるＯＦＤＭシンボル数の比を特定し、前記比を切り上げて整数を得、前記整数を基準スロットオフセットＴとして特定する。
【００６０】
すなわち、以下の式１によって基準スロットオフセットＴを特定することができる。
【式１】
【００６１】
2021510963.tif 000004
ここで、Ｚは、ステップＳ２０２で特定されたＣＳＩ計算時間でありＮｓｙｍｂＳｌｏｔ、は、１つのスロットに含まれるＯＦＤＭシンボル数であり、
2021510963.tif 000005
は、切り上げを示す。
【００６２】
ＣＳＩ報告要求情報に基づいて特定されたＣＳＩ報告が周期的又は半持続的ＣＳＩ報告である場合、上記ステップ２０３において、前記ＣＳＩ計算時間に基づいて特定された基準スロットオフセットＴは、第１基準スロットオフセットＴ１である。ＣＳＩ報告要求情報に基づいて特定されたＣＳＩ報告が非周期的ＣＳＩ報告であり、且つネットワーク機器によってＤＣＩで指示されるＣＳＩ報告スロットと、前記ＣＳＩ要求情報を含むＤＣＩが存在するスロットとが同一スロットでない場合、上記ステップ２０３において、前記ＣＳＩ計算時間に基づいて特定された基準スロットオフセットＴは、第２基準スロットオフセットＴ２である。
【００６３】
Ｔ１及びＴ２の意味については、その詳細に関し本開示の背景技術を参照し、重複を避けるために、ここでは繰り返して記載しない。
【００６４】
なお、本開示の実施例において、Ｔ１とＴ２は、同一であってもよく、異なっていてもよい。もちろん、Ｔ１及びＴ２は、ネットワーク機器によってＲＲＣシグナリングＲｅｐｏｒｔＣｏｎｆｉｇで設定されてもよい。ネットワーク機器は、具体的に、必要とされる様々なタイプのＣＳＩ報告に対し、複数のＴ１又はＴ２をそれぞれ設定できることが理解できる。
【００６５】
ステップ２０３において、前記基準スロットオフセットＴに基づいてＣＳＩ基準リソースのスロットオフセットを特定する。
【００６６】
ＣＳＩ基準リソースのスロットオフセットは、本開示の背景技術で記載したｎＣＱＩ＿ｒｅｆである。本実施例による技術手段を明確に理解するために、以下、ＣＳＩ基準リソースのスロットオフセットｎＣＱＩ＿ｒｅｆの過程について再度説明する。
【００６７】
端末機器から報告される必要のあるＣＳＩが周期的ＣＳＩ報告及び半持続的ＣＳＩ報告である場合、ｎＣＱＩ＿ｒｅｆは、Ｔ１以上の最小値であり、且つ１つの有効な下りスロットに対応する。すなわち、端末機器から報告される必要のあるＣＳＩが周期的ＣＳＩ報告及び半持続的ＣＳＩ報告である場合、Ｔ１以上のスロットの中から、Ｔ１に最も近い有効な下りスロットをＣＳＩ基準リソースのスロットオフセットｎＣＱＩ＿ｒｅｆとして選択する。更にＣＳＩ報告スロットｎの直前のｎＣＱＩ＿ｒｅｆ番目のスロットをＣＳＩ基準リソースとする。
【００６８】
ＵＥから報告されたＣＳＩが非周期的ＣＳＩ報告である場合、ＵＥがＣＳＩ報告要求情報（ＣＳＩ  ｒｅｑｕｅｓｔ）の同一スロットでＣＳＩを報告するようにネットワーク機器によってＤＣＩ（Ｄｏｗｎｌｉｎｋ  Ｃｏｎｔｒｏｌ  Ｉｎｆｏｒｍａｔｉｏｎ）で指示すると、ｎＣＱＩ＿ｒｅｆは、０である。そうでない場合、ｎＣＱＩ＿ｒｅｆは、Ｔ２以上の最小値であり、且つ１つの有効な下りスロットに対応する。すなわち、Ｔ２以上のスロットの中から、Ｔ２に最も近い有効な下りスロットをＣＳＩ基準リソースのスロットオフセットｎＣＱＩ＿ｒｅｆとして選択する。更にＣＳＩ報告スロットｎの直前のｎＣＱＩ＿ｒｅｆ番目のスロットをＣＳＩ基準リソースとする。
【００６９】
ここで、有効な下りスロットとは、当該スロットがＵＥにとって下りスロットであり、当該スロットが当該ＵＥのために設定された測定ギャップに存在せず、当該スロットの下り帯域幅部分（ＢＷＰ）がＣＳＩ報告に対応する下りＢＷＰと一致するという条件を満たすスロットをいう。
【００７０】
本開示の実施例によるスロットオフセット特定方法は、前記ＣＳＩ報告要求情報に基づいて基準スロットオフセットＴ（具体的にはＴ１又はＴ２）の具体的な値を特定することができるので、既存のＴＳ３８．２１４プロトコルではＴ１とＴ２が明確に規定されていないことを補完し、ＬＴＥシステムではＣＳＩ基準リソースのスロットオフセットｎＣＱＩ＿ｒｅｆを特定するために一定のＴ１とＴ２値を規定することを参照しなくてもよい。これによって、本開示の実施例によって特定されたＣＳＩ基準リソースのスロットオフセットｎＣＱＩ＿ｒｅｆは、より柔軟なものになり、端末機器自身のＣＳＩ計算能力にマッチングする。
【００７１】
また、上記ステップ２０２において、端末機器のＣＳＩ計算関連能力に基づいて、前記ヌメロロジー及び前記ＣＳＩ計算複雑度レベルでのＣＳＩ報告のＣＳＩ計算時間を特定する場合、特定されたＣＳＩ基準リソースのスロットオフセットｎＣＱＩ＿ｒｅｆを、端末機器自身のＣＳＩ計算能力に更にマッチングさせることができ、端末機器がより適切なタイミングでＣＳＩ報告をネットワーク機器に報告することができ、時間領域リソースの無駄をなくすことができるとともに、計算時間が不足して更新済みのＣＳＩ報告をネットワーク機器に報告できなくなることがなく、端末機器によるＣＳＩ報告のフィードバックの効率を向上させることが分かる。
【００７２】
選択可能に、本開示の他の実施例において、複数のＣＳＩ報告があることをＣＳＩ報告要求情報によって指示し、複数のＣＳＩ報告のＣＳＩ計算時間に基づいて特定された基準スロットオフセットＴの数が複数である場合、上記ステップ２０３は、具体的に、特定された複数の基準スロットオフセットＴの最大値に基づいて、ＣＳＩ基準リソースのスロットオフセットを特定することを含む。
【００７３】
選択可能に、本開示の他の実施例において、上記ステップ２０３は、具体的に、特定された複数の基準スロットオフセットＴのうちの異なる基準スロットオフセットＴに基づいて、少なくとも２つのＣＳＩ基準リソースのスロットオフセットを特定することを含む。例えば、ネットワーク機器が１つのＰＵＳＣＨで５つのＣＳＩ報告を送信するようにＵＥに指示し、ＵＥが各ＣＳＩ報告に対応する基準スロットオフセットを特定し、そのうち、２つのＣＳＩ報告の基準スロットオフセットが等しく、他の３つのＣＳＩ報告の基準スロットオフセットが等しいと仮定すると、１つのＣＳＩ基準リソースのスロットオフセットは、特定された２つの基準スロットオフセットの最大値に基づいて特定される。特定された２つの基準スロットオフセットに基づいて、計２つのＣＳＩ基準リソースのスロットオフセットを特定することもできる。
【００７４】
複数のＣＳＩ基準リソースのスロットオフセットをＣＳＩ報告の種類別に対して特定することによって、特定されたＣＳＩ基準リソースのスロットオフセットｎＣＱＩ＿ｒｅｆの柔軟性を更に向上させることに寄与することは、容易に理解できる。
【００７５】
選択可能に、本開示の他の実施例において、本開示の実施例によるスロットオフセット特定方法は、ＣＳＩ計算関連能力をネットワーク機器に報告することを更に含む。
【００７６】
ここで、前記ＣＳＩ計算関連能力は、端末機器にサポートされるＣＳＩ報告タイプ、端末機器にサポートされるＣＳＩ報告数の最大値、端末機器にサポートされるＣＳＩ報告タイプの異なるヌメロロジーにおける少なくとも１つのＣＳＩ計算複雑度レベルに対応するＣＳＩ計算時間、端末機器にサポートされるＣＳＩ計算時間リストの識別子、のうちの１つ又は複数の組み合わせを含む。
【００７７】
選択可能に、前記ＣＳＩ計算関連能力は、端末機器による同時更新が可能な、複数のＣＣに属するＣＳＩ情報及び対応するＣＳＩ計算複雑度レベルでのＣＳＩ計算時間、及び、端末機器による同時更新が可能な、異なるＣＳＩ報告タイプ又はＣＳＩ計算複雑度レベルのＣＳＩ報告組合せ情報及び対応するＣＳＩ計算時間、のうちの１つ又は複数の組み合わせを更に含む。
【００７８】
同様に、ＣＳＩ計算関連能力をネットワーク機器に報告することにより、端末機器の実際の能力に基づいてネットワーク機器が端末機器にＣＳＩ報告を要求することができ、ネットワーク機器が端末機器にＣＳＩ要求を設定する柔軟性が向上するだけでなく、端末機器がＣＳＩを計算する時間を自らの計算能力に適応させることができるので、端末機器がより適切なタイミングでＣＳＩ報告をネットワーク機器に報告することができ、時間領域リソースの無駄を生じさせず、計算時間が不足して更新済みのＣＳＩ報告をネットワーク機器に報告できなくなるということがなくなり、端末機器によるＣＳＩ報告のフィードバックの効率を向上させる。
【００７９】
図２Ｂは、本開示の１つの実施例によるスロットオフセット特定方法を示す。この方法は、端末機器に応用される。図２Ｂに示すように、この方法は、以下のステップを含む。
【００８０】
ステップ２０８において、端末機器が目標ＣＳＩ報告を作成するＣＳＩ計算時間を特定する。
【００８１】
１つの具体的な実施例において、ステップ２０８は、具体的に、前記端末機器から報告された、前記端末機器が目標ＣＳＩ報告を生成するＣＳＩ計算時間を受信することを含む。
【００８２】
別の具体的な実施例において、ステップ２０８は、具体的に、前記端末機器から報告された、前記端末機器にサポートされるＣＳＩ計算時間リスト識別子を受信することと、前記識別子に基づいて、所定のＣＳＩ計算時間リストセットから、前記識別子にマッチングする目標ＣＳＩ計算時間リストを特定することと、前記目標ＣＳＩ計算時間リストから、目標ＣＳＩ報告にマッチングするＣＳＩ計算時間を見つけ出すこととを含む。
【００８３】
ステップ２０９において、前記ＣＳＩ計算時間に基づいて基準スロットオフセットＴを特定する。
【００８４】
具体的に、ステップ２０９は、前記ＣＳＩ計算時間と、１つのスロットに含まれるＯＦＤＭシンボル数の比を特定することと、前記比を切り上げて整数を得ることと、前記整数を基準スロットオフセットＴとして特定することとを具体的に含む。
【００８５】
具体的に、下記式２により基準スロットオフセットＴを特定することができる。
【式２】
【００８６】
2021510963.tif 000006
ここで、Ｚは、ステップ２０２で特定されたＣＳＩ計算時間であり、ＮｓｙｍｂＳｌｏｔは、１つのスロットに含まれるＯＦＤＭシンボル数であり、
2021510963.tif 000007
は、切り上げを示す。
【００８７】
ステップ２１０において、前記基準スロットオフセットＴを前記端末機器に送信する。
【００８８】
前記基準スロットオフセットＴを前記端末機器に送信した後に、端末機器は、受信した基準スロットオフセットＴに基づいてＣＳＩ基準リソースのスロットオフセットを特定することができる。
【００８９】
本開示の実施例によるスロットオフセット特定方法は、ＣＳＩ報告のＣＳＩ計算時間に基づいて基準スロットオフセットＴ（具体的にはＴ１又はＴ２）の具体的な値を特定することができるので、既存のＴＳ３８．２１４プロトコルではＴ１とＴ２が明確に規定されていないことを補完し、ＬＴＥシステムではＣＳＩ基準リソースのスロットオフセットｎＣＱＩ＿ｒｅｆを特定するために一定のＴ１とＴ２値を規定することを参照しなくてもよい。よって、本開示の実施例で特定されたＣＳＩ基準リソースのスロットオフセットｎＣＱＩ＿ｒｅｆをより柔軟にし、端末機器自身のＣＳＩ計算能力にマッチングさせる。
【００９０】
図３は、本開示の１つの実施例によるスロットオフセット特定方法を示す。この方法は、ネットワーク機器に応用される。図３に示すように、この方法は、以下のステップを含む。
【００９１】
ステップ３０１において、必要な端末機器の非周期的ＣＳＩ報告に対応するＣＳＩ計算時間を特定する。
【００９２】
具体的に、ステップ３０１において、非周期的ＣＳＩ報告に対応するＣＳＩ計算時間は、以下の２種類の方式のうちのいずれか１つによって特定される。
方式１：ネットワーク機器によって所定のＣＳＩ計算時間リストに基づいて特定される。
方式２：端末機器から報告されたＣＳＩ計算関連能力に基づいてネットワーク機器によって特定される。
【００９３】
もちろん、ほかの方式により、非周期的ＣＳＩ報告に対応するＣＳＩ計算時間を特定してもよいが、本開示の実施例において、これについて限定しない。
【００９４】
ここで、所定のＣＳＩ時間リストは、従来のプロトコルに基づいて規定されたＣＳＩ時間特定リストであり、例えばプロトコルで規定されたＣＳＩ時間特定リストであり、具体的に上記の表１を参照する。
【００９５】
ここで、端末機器から報告されたＣＳＩ計算関連能力は、図１及び図２Ａに記載の実施例に一致するので、重複を避けるために、ここでは繰り返して記載しない。
【００９６】
なお、ネットワーク機器に必要なＣＳＩ報告は、通常、端末機器がサポート可能なＣＳＩ報告タイプである。
【００９７】
ステップ３０２において、必要なＣＳＩ報告に対応する前記ＣＳＩ計算時間に基づいて、前記端末機器から非周期的ＣＳＩ報告を報告するスロットオフセットＹを特定する。
【００９８】
なお、端末機器から非周期的ＣＳＩ報告を報告するスロットオフセットＹは、通常、端末がＣＳＩ要求情報を受信したスロットと、ネットワーク機器によって求められ、端末機器から非周期的ＣＳＩ報告を報告するスロットとの時間間隔である。
【００９９】
具体的に、非周期的ＣＳＩ報告に関連するＣＳＩ−ＲＳが非周期的ＣＳＩ−ＲＳである場合を例とし、ステップ３０２は、非周期的ＣＳＩ報告に関連する非周期的ＣＳＩ−ＲＳ送信のタイムオフセットＸをネットワーク機器が特定することを含む。前記タイムオフセットＸは、前記非周期的ＣＳＩ報告要求情報の送信がトリガーされるＤＣＩのスロットと前記非周期的ＣＳＩ−ＲＳが送信されるスロットとの時間間隔である。必要なＣＳＩ報告に対応する前記ＣＳＩ計算時間及び前記タイムオフセットＸに基づいて、前記端末機器から前記非周期的ＣＳＩを報告するスロットオフセットＹを特定する。
【０１００】
より具体的に、上記の必要なＣＳＩ報告に対応する前記ＣＳＩ計算時間及び前記タイムオフセットＸに基づいて、前記端末機器から前記非周期的ＣＳＩを報告するスロットオフセットＹを特定することは、必要なＣＳＩ報告に対応する前記ＣＳＩ計算時間と、１つのスロットに含まれるＯＦＤＭシンボル数の比を特定することと、前記比を切り上げて整数を得ることと、前記整数、前記タイムオフセットＸ及びタイミングアドバンスＮに基づいて、前記端末機器から前記非周期的ＣＳＩを報告するスロットオフセットＹを特定することとを含む。
【０１０１】
端末機器がＹスロット後にネットワーク機器にＣＳＩ報告を報告するように、端末機器が受信したＣＳＩ要求情報に指示される場合、端末機器は、スロットオフセットＹより短い時間内にＣＳＩ計算を完了する必要があり、完了できない場合には、更新済みのＣＳＩ報告をネットワーク機器に報告できないことがわかる。
【０１０２】
従って、１つの具体的な実施例において、スロットオフセットＹは、以下の式３によって計算され得る。
【式３】
【０１０３】
2021510963.tif 000008
ここで、Ｘは、上記タイムオフセットＸであり、Ｚは、ステップ３０１で特定されたＣＳＩ計算時間であり、ＮｓｙｍｂＳｌｏｔは、１スロットに含まれるＯＦＤＭシンボル数であり、
2021510963.tif 000009
は、切り上げを示し、Ｎは、タイミングアドバンスＴＡであり、Ｎの単位は、ＯＦＤＭシンボルであり、例えば、ＴＡ＝１．４シンボルである。
【０１０４】
上記のＣＳＩ基準リソースのスロットオフセットも、「Ｚ／ＮｓｙｍｂＳｌｏｔ」という比の値から計算されるので、他の具体的な実施例において、スロットオフセットＹは、下記の式４によっても計算される。
【式４】
【０１０５】
2021510963.tif 000010
【０１０６】
関連技術では、スロットｎのＰＵＳＣＨのみでの非周期的ＣＳＩ報告の送信がトリガーされる場合、いくつかのシーンでは、端末機器は、非周期的ＣＳＩ報告内のＣＳＩを更新しなくてもよい（再計算しない）。例えば、端末機器が、与えられたＣＳＩ複雑度レベル及びヌメロロジーで、Ｍ−Ｌ−Ｎ＜Ｚであれば、非周期的ＣＳＩ報告内のＣＳＩを更新しなくてもよい（再計算しない）シーンや、与えられたＣＳＩ複雑度レベル及びヌメロロジーで、Ｍ−Ｏ−Ｎ＜Ｚであれば、非周期的ＣＳＩ報告内のＣＳＩを更新しなくてもよい（再計算しない）シーンなどが考えられる。
【０１０７】
ここで、Ｌは、スロットｎのＰＤＣＣＨの最後のＯＦＤＭシンボルであり、Ｍは、上り共有チャネルの開始ＯＦＤＭシンボルであり、Ｎは、上記のＴＡ値であり、ＴＡ値の単位は、ＯＦＤＭシンボルであり、Ｏは、チャネル測定に使用される非周期的ＣＳＩ−ＲＳの最後のＯＦＤＭシンボルと干渉測定に使用される非周期的ＣＳＩ−ＲＳの最後のＯＦＤＭシンボルとのうちの遅い方のＯＦＤＭシンボルである。
【０１０８】
本開示の実施例におけるネットワーク機器が実行する内容に対応し、端末機器側では、端末機器は、ネットワーク機器からＤＣＩを介して送信するＣＳＩ報告要求情報を受信することにより、ＣＳＩ報告が報告されるスロットオフセットＹを特定することができる。また、端末機器は、受信したＣＳＩ報告要求情報のスロットオフセットＹによってＣＳＩ基準リソースを見つけることができない場合、新たなＣＳＩを算出することが間に合わないため、ＣＳＩ報告を報告しなかったり、ＣＳＩ報告履歴をネットワーク機器に報告したりすることができる。
【０１０９】
本開示の実施例によるネットワーク機器に応用されるスロットオフセット特定方法は、ネットワーク機器に必要な端末機器の非周期的ＣＳＩ報告に対応するＣＳＩ計算時間に基づいて、端末機器から非周期的ＣＳＩ報告が報告されるスロットオフセットＹを特定することができるので、ネットワーク機器が特定する端末機器から非周期的ＣＳＩ報告が報告されるスロットオフセットＹをより合理的にすることができ、最終的に端末機器がＣＳＩ報告要求情報を受信した後に新たなＣＳＩ情報をネットワーク機器に成功的に報告することができ、ネットワーク機器が取得したＣＳＩ情報が実際のチャネル状態をより反映したものになる。
【０１１０】
選択可能に、本開示の別の実施例において、上記のステップ３０１において、前記非周期的ＣＳＩ報告に対応するＣＳＩ計算時間が、端末機器から報告されたＣＳＩ計算関連能力に基づいてネットワーク機器によって特定される場合、上記ステップ３０１の前に、端末機器から報告された、ＣＳＩ計算関連能力を受信することを更に含んでもよいスロットオフセット特定方法を提供する。
【０１１１】
ここで、前記ＣＳＩ計算関連能力は、
端末機器にサポートされるＣＳＩ報告タイプ、
端末機器にサポートされるＣＳＩ報告数の最大値、及び、
端末機器にサポートされるＣＳＩ報告タイプの異なるヌメロロジーにおける少なくとも１つのＣＳＩ計算複雑度レベルのＣＳＩ計算複雑度、のうちの１つ又は複数の組み合わせを含む。
【０１１２】
選択可能に、前記ＣＳＩ計算関連能力は、
端末機器による同時更新が可能な、複数のＣＣに属するＣＳＩ情報及び対応するＣＳＩ計算複雑度レベルでのＣＳＩ計算時間、及び、
端末機器による同時更新が可能な、異なるＣＳＩ報告タイプ又はＣＳＩ計算複雑度レベルのＣＳＩ報告組合せ情報及び対応するＣＳＩ計算時間、のうちの１つ又は複数の組み合わせを更に含む。
【０１１３】
これに基づいて、選択可能に、本開示の実施例によるスロットオフセット特定方法において、端末機器から報告されたＣＳＩ計算関連能力に基づいて特定したＣＳＩ計算時間を前記端末機器に設定することを更に含む。
【０１１４】
端末機器のＣＳＩ計算関連能力に基づいて、前記ヌメロロジー及び前記ＣＳＩ計算複雑度レベルでのＣＳＩ報告のＣＳＩ計算時間を特定する場合、特定した端末機器からＣＳＩ報告が報告されるスロットオフセットＹを端末機器自身のＣＳＩ計算能力によりマッチングさせることができ、端末機器がより適切なタイミングでＣＳＩ報告をネットワーク機器に報告でき、時間領域リソースの無駄を生じさせず、計算時間が不足して更新済みのＣＳＩ報告をネットワーク機器に報告できなくなることなく、端末機器によるＣＳＩ報告のフィードバックの効率が向上することがわかる。
【０１１５】
本開示の実施例による方法は、図１〜図３に関連して上記で詳細に説明されている。以下、本開示の実施例の機器について、図４を参照して詳細に説明する。
【０１１６】
図４は、本開示の実施例による端末機器の構造図である。図４に示すように、端末機器４００は、ＣＳＩ計算関連能力をネットワーク機器に報告するためのＵＥ能力報告モジュール４０１を含む。
【０１１７】
ここで、前記ＣＳＩ計算関連能力は、
端末機器にサポートされるＣＳＩ報告タイプ、
端末機器にサポートされるＣＳＩ報告数の最大値、
端末機器にサポートされるＣＳＩ報告タイプの異なるヌメロロジーにおける少なくとも１つのＣＳＩ計算複雑度レベルに対応するＣＳＩ計算時間、及び、
端末機器にサポートされるＣＳＩ計算時間リストの識別子、のうちの１つ又は複数の組み合わせを含む。
【０１１８】
選択可能に、前記ＣＳＩ計算関連能力は、
端末機器による同時更新が可能な、複数のＣＣに属するＣＳＩ情報及び対応するＣＳＩ計算複雑度レベルでのＣＳＩ計算時間、及び、
端末機器による同時更新が可能な、異なるＣＳＩ報告タイプ又はＣＳＩ計算複雑度レベルのＣＳＩ報告組合せ情報及び対応するＣＳＩ計算時間、のうちの１つ又は複数の組み合わせを更に含む。
【０１１９】
本開示の実施例による端末機器４００は、ＣＳＩ計算関連能力をネットワーク機器に報告できる。そのため、ネットワーク機器は、端末機器の実際の能力に基づいてて端末機器にＣＳＩ報告を要求することができる。これによって、ネットワーク機器が端末機器にＣＳＩ要求を設定する柔軟性を向上させるだけでなく、端末機器がＣＳＩを計算する時間を自らの計算能力に適応させることができる。これによって、端末機器がより適切なタイミングでネットワーク機器にＣＳＩ報告を報告し、時間領域リソースの浪費を招くことなく、計算時間が不足して更新済みのＣＳＩ報告をネットワーク機器に報告できなくなることがなくなり、端末機器がＣＳＩ報告をフィードバックする効率を向上させることができる。
【０１２０】
本開示の実施例による端末機器４００は、本開示の図１に対応して示されている方法のフローを参照でき、この端末機器の各ユニット／モジュール及び上記ほかの操作及び／又は機能は、それぞれ、図１に示す方法の対応するフローを実現するためのものであり、記載の簡潔化を図るため、ここでは繰り返して記載しない。
【０１２１】
図５Ａは、本開示の実施例によるネットワーク機器の構造図である。図５Ａに示すように、端末機器５００は、ネットワーク機器から送信されたＣＳＩ報告要求情報を受信するための第１受信モジュール５０１を含む。
【０１２２】
通常、ネットワーク機器から送信されたＣＳＩ報告要求情報（ＣＳＩ  ｒｅｑｕｅｓｔ）は、ＣＳＩ報告の数、各ＣＳＩ報告のタイプ、端末機器による使用が求められるコードブックタイプ及びＣＳＩ報告帯域幅などの情報を含む。端末機器は、これらの情報からＣＳＩ計算時間を特定することができる。
【０１２３】
第１特定モジュール５０２は、前記ＣＳＩ報告要求情報に基づいて基準スロットオフセットＴを特定することに用いられる。
【０１２４】
１つの具体的な実施例において、選択可能に、端末機器５００は、前記の前記ＣＳＩ報告要求情報に基づいて基準スロットオフセットＴを特定する前に、ネットワーク機器によって予め設定された基準スロットオフセットＴを受信するための第２受信モジュールを更に含む。すると、前記第１特定モジュール５０２は、具体的に、前記ＣＳＩ報告要求情報に基づいて、報告が必要な目標ＣＳＩ報告を特定することと、前記目標ＣＳＩ報告にマッチングする基準スロットオフセットＴを、ネットワーク機器によって予め設定された基準スロットオフセットＴの中から特定することとに用いられる。
【０１２５】
別の具体的な実施例において、前記第１特定モジュールは、具体的に、前記ＣＳＩ報告要求情報に基づいてＣＳＩ報告のＣＳＩ計算時間を特定することと、前記ＣＳＩ計算時間に基づいて基準スロットオフセットＴを特定することとに用いられる。
【０１２６】
具体的に、前記第１特定モジュール５０２は、前記ＣＳＩ報告要求情報に基づいて、ＣＳＩ報告に対応するヌメロロジー及びＣＳＩ計算複雑度レベルを特定するための第１サブモジュールと、前記ヌメロロジー及び前記ＣＳＩ計算複雑度レベルでのＣＳＩ報告のＣＳＩ計算時間を特定するための第２サブモジュールとを含む。
ここで、前記第２サブモジュールは、具体的に、
端末機器のＣＳＩ計算関連能力に基づいて、前記ヌメロロジー及び前記ＣＳＩ計算複雑度レベルでのＣＳＩ報告のＣＳＩ計算時間を特定することと、
ネットワーク機器によって予めシグナリングで設定された前記ヌメロロジー及び前記ＣＳＩ計算複雑度レベルでのＣＳＩ報告のＣＳＩ計算時間を受信することと、
所定のＣＳＩ計算時間リストに基づいて、前記ヌメロロジー及び前記ＣＳＩ計算複雑度レベルでのＣＳＩ報告のＣＳＩ計算時間を特定することと、のうちのいずれか１つによって、前記ヌメロロジー及び前記ＣＳＩ計算複雑度レベルでのＣＳＩ報告のＣＳＩ計算時間を特定することに用いられる。
【０１２７】
所定のＣＳＩ時間リストは、従来のプロトコルに基づいて規定されたＣＳＩ時間特定リストであり、例えば、ＴＳ３８．２１４プロトコルで規定されたＣＳＩ時間特定リストである。
【０１２８】
この具体的な実施例において、第１特定モジュール５０２は、具体的に、前記ＣＳＩ計算時間に基づいて基準スロットオフセットＴを特定することに用いられる。
【０１２９】
具体的に、第１特定モジュール５０２は、具体的に、前記ＣＳＩ計算時間と、１つのスロットに含まれるＯＦＤＭシンボル数の比を特定することと、前記比を切り上げて整数を得ることと、前記整数を基準スロットオフセットＴとして特定することとに用いられる。
【０１３０】
すなわち、下記式５により、基準スロットオフセットＴを特定することができる。
【式５】
【０１３１】
2021510963.tif 000011
ここで、Ｚは、ステップＳ２０２で特定されたＣＳＩ計算時間であり、ＮｓｙｍｂＳｌｏｔは、１つのスロットに含まれるＯＦＤＭシンボル数であり、
2021510963.tif 000012
は、切り上げを示す。
【０１３２】
第２特定モジュール５０３は、前記基準スロットオフセットＴに基づいてＣＳＩ基準リソースのスロットオフセットを特定することに用いられる。
【０１３３】
本開示の実施例による端末機器は、前記ＣＳＩ報告要求情報に基づいて基準スロットオフセットＴ（具体的にはＴ１又はＴ２）の具体的な値を特定することができるので、既存のＴＳ３８．２１４プロトコルではＴ１とＴ２が明確に規定されていないことを補完し、ＬＴＥシステムではＣＳＩ基準リソースのスロットオフセットｎＣＱＩ＿ｒｅｆを特定するために一定のＴ１とＴ２値を規定することを参照しなくてもよい。よって、本開示の実施例で特定されたＣＳＩ基準リソースのスロットオフセットｎＣＱＩ＿ｒｅｆをより柔軟にし、端末機器自身のＣＳＩ計算能力にマッチングさせる。
【０１３４】
また、上記第１特定モジュール５０２は、端末機器のＣＳＩ計算関連能力に基づいて、前記ヌメロロジー及び前記ＣＳＩ計算複雑度レベルでのＣＳＩ報告のＣＳＩ計算時間を特定する場合、特定したＣＳＩ基準リソースのスロットオフセットｎＣＱＩ＿ｒｅｆを端末機器自身のＣＳＩ計算能力によりマッチングさせることができ、端末機器がより適切なタイミングでＣＳＩ報告をネットワーク機器に報告でき、時間領域リソースの無駄を生じさせず、計算時間が不足して更新済みのＣＳＩ報告をネットワーク機器に報告できなくなることなく、端末機器によるＣＳＩ報告のフィードバックの効率が向上することがわかる。
【０１３５】
選択可能に、本開示の別の実施例において、前記第２特定モジュール５０３は、具体的に、複数のＣＳＩ報告があることをＣＳＩ報告要求情報によって指示し、複数のＣＳＩ報告のＣＳＩ計算時間に基づいて特定された基準スロットオフセットＴの数が複数である場合、特定された複数の基準スロットオフセットＴの最大値に基づいて、ＣＳＩ基準リソースのスロットオフセットを特定することに用いられる。
【０１３６】
選択可能に、本開示の別の実施例において、前記第２特定モジュール５０３は、具体的に、複数のＣＳＩ報告があることをＣＳＩ報告要求情報によって指示し、複数のＣＳＩ報告のＣＳＩ計算時間に基づいて特定された基準スロットオフセットＴの数が複数である場合、特定された複数の基準スロットオフセットＴのうちの異なる基準スロットオフセットＴに基づいて、少なくとも２つのＣＳＩ基準リソースのスロットオフセットを特定することに用いられる。
【０１３７】
ＣＳＩ報告の種類別に複数のＣＳＩ参照リソースのタイムスロットオフセットを特定することは、特定されたＣＳＩ参照リソースのタイムスロットオフセットの柔軟性を向上させることに寄与することが容易に理解できる。
【０１３８】
選択可能に、本開示の別の実施例において、端末機器５００は、ＵＥ能力報告モジュールを更に含む。前記ＵＥ能力報告モジュールは、端末機器のＣＳＩ計算関連能力に基づいて、前記ヌメロロジー及び前記ＣＳＩ計算複雑度レベルでのＣＳＩ報告のＣＳＩ計算時間を特定する際に、且つ前記ＣＳＩ報告要求情報に基づいてＣＳＩ報告のＣＳＩ計算時間を特定する前に、ＣＳＩ計算関連能力をネットワーク機器に報告することに用いられる。
【０１３９】
ここで、前記ＣＳＩ計算関連能力は、
端末機器にサポートされるＣＳＩ報告タイプ、
端末機器にサポートされるＣＳＩ報告数の最大値、
端末機器にサポートされるＣＳＩ報告タイプの異なるヌメロロジーにおける少なくとも１つのＣＳＩ計算複雑度レベルに対応するＣＳＩ計算時間、
端末機器にサポートされるＣＳＩ計算時間リストの識別子、のうちの１つ又は複数の組み合わせを含む。
【０１４０】
選択可能に、前記ＣＳＩ計算関連能力は、
端末機器による同時更新が可能な、複数のＣＣに属するＣＳＩ情報及び対応するＣＳＩ計算複雑度レベルでのＣＳＩ計算時間、及び、
端末機器による同時更新が可能な、異なるＣＳＩ報告タイプ又はＣＳＩ計算複雑度レベルのＣＳＩ報告組合せ情報及び対応するＣＳＩ計算時間、のうちの１つ又は複数の組み合わせを更に含む。
【０１４１】
同様に、端末機器５００は、ＣＳＩ計算関連能力をネットワーク機器に報告できる。そのため、ネットワーク機器は、端末機器の実際の能力に基づいて端末機器にＣＳＩ報告を要求することができる。これによって、ネットワーク機器が端末機器にＣＳＩ要求を設定する柔軟性を向上させるだけでなく、端末機器がＣＳＩを計算する時間を自らの計算能力にマッチングさせることができる。これによって、端末機器がより適切なタイミングでネットワーク機器にＣＳＩ報告を報告し、時間領域リソースの浪費を生じさせず、計算時間が不足して更新済みのＣＳＩ報告をネットワーク機器に報告できなくなることがなくなり、端末機器がＣＳＩ報告をフィードバックする効率を向上させることができる。
【０１４２】
本開示の実施例による端末機器５００は、本開示の図２Ａに対応して示されている方法のフローを参照でき、この端末機器の各ユニット／モジュール及び上記他の操作及び／又は機能は、それぞれ、図２Ａに示す方法の対応するフローを実現するためのものであり、記載の簡潔化を図るため、ここでは繰り返して記載しない。
【０１４３】
図５Ｂは、本開示の実施例によるネットワーク機器の構造図である。図５Ｂに示すように、ネットワーク機器５０４は、
端末機器が目標ＣＳＩ報告を生成するＣＳＩ計算時間を特定するための第４特定モジュール５０８と、
前記ＣＳＩ計算時間に基づいて基準スロットオフセットＴを特定するための第５特定モジュール５０９と、
前記基準スロットオフセットＴを前記端末機器に送信するための送信モジュール５１０とを含む。
【０１４４】
本開示の実施例によるネットワーク機器５０４は、ＣＳＩ報告のＣＳＩ計算時間に基づいて基準スロットオフセットＴ（具体的にはＴ１又はＴ２）の具体的な値を特定することができるので、既存のＴＳ３８．２１４プロトコルではＴ１とＴ２が明確に規定されていないことを補完し、ＬＴＥシステムではＣＳＩ基準リソースのスロットオフセットｎＣＱＩ＿ｒｅｆを特定するために一定のＴ１とＴ２値を規定することを参照しなくてもよい。よって、本開示の実施例で特定されたＣＳＩ基準リソースのスロットオフセットｎＣＱＩ＿ｒｅｆをより柔軟にし、端末機器自身のＣＳＩ計算能力にマッチングさせる。
【０１４５】
図６は、本開示の実施例によるネットワーク機器の構造図である。図６に示すように、ネットワーク機器６００は、
必要な端末機器の非周期的ＣＳＩ報告に対応するＣＳＩ計算時間を特定するための計算時間特定モジュール６０１と、
必要なＣＳＩ報告に対応する前記ＣＳＩ計算時間に基づいて、前記端末機器から非周期的ＣＳＩ報告を報告するスロットオフセットＹを特定するためのスロットオフセット特定モジュール６０２とを含む。
【０１４６】
具体的に、計算時間特定モジュール６０１において、前記非周期的ＣＳＩ報告に対応するＣＳＩ計算時間は、以下の２種類の方式のうちのいずれか一つによって特定される。
方式１：ネットワーク機器によって所定のＣＳＩ計算時間リストに基づいて特定される。
方式２：端末機器から報告されたＣＳＩ計算関連能力に基づいてネットワーク機器によって特定される。
【０１４７】
もちろん、ほかの方式により、非周期的ＣＳＩ報告に対応するＣＳＩ計算時間を特定してもよいが、本開示の実施例において、これについて限定しない。
【０１４８】
ここで、所定のＣＳＩ時間リストは、従来のプロトコルに基づいて規定されたＣＳＩ時間特定リストであり、例えばＴＳ３８．２１４プロトコルで規定されたＣＳＩ時間特定リストであり、具体的に上記の表１を参照する。
【０１４９】
なお、ネットワーク機器に必要なＣＳＩ報告は、通常、端末機器がサポート可能なＣＳＩ報告タイプである。
【０１５０】
なお、端末機器から非周期的ＣＳＩ報告を報告するスロットオフセットＹは、通常、端末がＣＳＩ要求情報を受信したスロットと、ネットワーク機器によって求められ、端末機器から非周期的ＣＳＩ報告を報告するスロットとの時間間隔である。
【０１５１】
具体的に、スロットオフセット特定モジュール６０２は、
非周期的ＣＳＩ報告に関連する非周期的ＣＳＩ−ＲＳ送信のタイムオフセットＸであって、前記非周期的ＣＳＩ報告要求情報の送信がトリガーされるＤＣＩのスロットと前記非周期的ＣＳＩ−ＲＳが送信されるスロットとの時間間隔である前記タイムオフセットＸを特定するための時間間隔特定サブモジュールと、
必要なＣＳＩ報告に対応する前記ＣＳＩ計算時間及び前記タイムオフセットＸに基づいて、前記端末機器から前記非周期的ＣＳＩを報告するスロットオフセットＹを特定するためのスロットオフセットＹ特定サブモジュールとを含む。
【０１５２】
より具体的に、前記スロットオフセットＹ特定サブモジュールは、必要なＣＳＩ報告に対応する前記ＣＳＩ計算時間と、１つのスロットに含まれるＯＦＤＭシンボル数の比を特定することと、前記比を切り上げて整数を得ることと、前記整数、前記タイムオフセットＸ及びタイミングアドバンスＮに基づいて、前記端末機器から前記非周期的ＣＳＩを報告するスロットオフセットＹを特定することとに用いられる。
【０１５３】
端末機器がＹスロット後にネットワーク機器にＣＳＩ報告を報告するように、端末機器が受信したＣＳＩ要求情報に指示される場合、端末機器は、スロットオフセットＹより短い時間内にＣＳＩ計算を完了する必要があり、完了できない場合には、更新済みのＣＳＩ報告をネットワーク機器に報告できないことがわかる。
【０１５４】
従って、１つの具体的な実施例において、スロットオフセットＹは、以下の式６によって計算される。
【式６】
【０１５５】
2021510963.tif 000013
ここで、Ｘは、上記タイムオフセットＸであり、Ｚは、ステップ３０１で特定されたＣＳＩ計算時間であり、ＮｓｙｍｂＳｌｏｔは、スロットに含まれるＯＦＤＭシンボル数であり、
2021510963.tif 000014
は、切り上げを示し、Ｎは、タイミングアドバンスＴＡであり、Ｎの単位は、ＯＦＤＭシンボルであり、例えば、ＴＡ＝１．４シンボルである。
【０１５６】
上記のＣＳＩ基準リソースのスロットオフセットｎＣＱＩ＿ｒｅｆも、「Ｚ／ＮｓｙｍｂＳｌｏｔ」という比の値から計算されるので、他の具体的な実施例において、スロットオフセットＹは、下記の式７によっても計算される。
【式７】
【０１５７】
2021510963.tif 000015
【０１５８】
本開示の実施例によるネットワーク機器６００は、ネットワーク機器に必要な端末機器の非周期的ＣＳＩ報告に対応するＣＳＩ計算時間に基づいて、端末機器から非周期的ＣＳＩ報告が報告されるスロットオフセットＹを特定することができるので、ネットワーク機器が特定する、端末機器から非周期的ＣＳＩ報告が報告されるスロットオフセットＹをより合理的にすることができ、最終的に端末機器がＣＳＩ報告要求情報を受信した後に新たなＣＳＩ情報をネットワーク機器に成功的に報告することができ、ネットワーク機器が取得したＣＳＩ情報が実際のチャネル状態をより反映したものになる。
【０１５９】
選択可能に、本開示の別の実施例において、ネットワーク機器６００は、
前記非周期的ＣＳＩ報告に対応するＣＳＩ計算時間が、端末機器から報告されたＣＳＩ計算関連能力に基づいてネットワーク機器によって特定される場合、前記の必要な端末機器の非周期的ＣＳＩ報告に対応するＣＳＩ計算時間を特定する前に、端末機器から報告された、ＣＳＩ計算関連能力を受信するためのＵＥ能力受信モジュールを更に含む。
【０１６０】
ここで、前記ＣＳＩ計算関連能力は、
端末機器にサポートされるＣＳＩ報告タイプ、
端末機器にサポートされるＣＳＩ報告数の最大値、
端末機器にサポートされるＣＳＩ報告タイプの異なるヌメロロジーにおける少なくとも１つのＣＳＩ計算複雑度レベルのＣＳＩ計算複雑度、及び、
端末機器にサポートされるＣＳＩ計算時間リストの識別子、のうちの１つ又は複数の組み合わせを含む。
【０１６１】
選択可能に、前記ＣＳＩ計算関連能力は、
端末機器による同時更新が可能な、複数のＣＣに属するＣＳＩ情報及び対応するＣＳＩ計算複雑度レベルでのＣＳＩ計算時間、及び、
端末機器による同時更新が可能な、異なるＣＳＩ報告タイプ又はＣＳＩ計算複雑度レベルのＣＳＩ報告組合せ情報及び対応するＣＳＩ計算時間のうちの１つ又は複数の組み合わせを更に含む。
【０１６２】
これに基づいて、選択可能に、ネットワーク機器６００は、端末機器から報告されたＣＳＩ計算関連能力に基づいて特定したＣＳＩ計算時間を前記端末機器に設定するための設定モジュールを更に含む。
【０１６３】
また、端末機器のＣＳＩ計算関連能力に基づいて、前記ヌメロロジー及び前記ＣＳＩ計算複雑度レベルでのＣＳＩ報告のＣＳＩ計算時間を特定する場合、特定した端末機器からＣＳＩ報告が報告されるスロットオフセットＹを端末機器自身のＣＳＩ計算能力により適応させることができ、端末機器がより適切なタイミングでＣＳＩ報告をネットワーク機器に報告でき、時間領域リソースの無駄を生じさせず、計算時間が不足して更新済みのＣＳＩ報告をネットワーク機器に報告できなくなることなく、端末機器によるＣＳＩ報告のフィードバックの効率が向上することがわかる。
【０１６４】
本開示の実施例によるネットワーク機器６００は、本開示の図３に対応して示されている方法のフローを参照でき、このネットワーク機器６００の各ユニット／モジュール及び上記他の操作及び／又は機能は、それぞれ、図３に示す方法の対応するフローを実現するためのものであり、記載の簡潔化を図るため、ここでは繰り返して記載しない。
【０１６５】
図７は、本開示の他の実施例の端末機器の構造図である。図７に示す端末機器７００は、少なくとも１つのプロセッサ７０１と、メモリ７０２と、少なくとも１つのネットワークインタフェース７０４と、ユーザインタフェース７０３を含む。端末７００における各構成部品は、バスシステム７０５を介して結合される。バスシステム７０５は、これらの構成部品の間の接続と通信に用いられることが理解できる。バスシステム７０５は、データバスのほかに、電源バス、制御バス及び状態信号バスを更に含む。ただし、明確に説明するために、図７において、各種類のバスをすべてバスシステム７０５として標記している。
【０１６６】
ここで、ユーザインタフェース７０３は、ディスプレイ、キーボード又はポインティングデバイス（例えばマウス、トラックボール（ｔｒａｃｋ  ｂａｌｌ））、タッチパネル又はタッチスクリーンなどを含む。
【０１６７】
本開示の実施例におけるメモリ７０２は、揮発性メモリ又は非揮発性メモリであり、又は、揮発性メモリと非揮発性メモリの両方を含む。非揮発性メモリは、ＲＯＭ（Ｒｅａｄ  Ｏｎｌｙ  Ｍｅｍｏｒｙ）、ＰＲＯＭ（Ｐｒｏｇｒａｍｍａｂｌｅ  ＲＯＭ）、ＥＰＲＯＭ（Ｅｒａｓａｂｌｅ  ＰＲＯＭ）、ＥＥＰＲＯＭ（Ｅｌｅｃｔｒｉｃａｌｌｙ  ＥＰ  ＲＯＭ）又はフラッシュメモリである。揮発性メモリは、ＲＡＭ（Ｒａｎｄｏｍ  Ａｃｃｅｓｓ  Ｍｅｍｏｒｙ）であり、外部のキャッシュに用いられる。多くの形態のＲＡＭが使用可能であるが、その例として、例えばＳＲＡＭ（Ｓｔａｔｉｃ  ＲＡＭ）、ＤＲＡＭ（Ｄｙｎａｍｉｃ  ＲＡＭ）、ＳＤＲＡＭ（Ｓｙｎｃｈｒｏｎｏｕｓ  ＤＲＡＭ）、ＤＤＲＳＤＲＡＭ（Ｄｏｕｂｌｅ  Ｄａｔａ  Ｒａｔｅ  ＳＤＲＡＭ）、ＥＳＤＲＡＭ（Ｅｎｈａｎｃｅｄ  ＳＤＲＡＭ）、ＳＬＤＲＡＭ（Ｓｙｎｃｈｌｉｎｋ  ＤＲＡＭ）、ＤＲＲＡＭ（Ｄｉｒｅｃｔ  Ｒａｍｂｕｓ  ＲＡＭ）が挙げられるが、それらに限られない。本開示の実施例に記載のシステム及び方法におけるメモリ７０２は、これらに限られず、これら及びこれら以外の任意の適合する種類のメモリを含むとする。
【０１６８】
一部実施例において、メモリ７０２には、実行可能なモジュール又はデータ構造、又はそれらのサブセット、又は、それらの拡張セットであるオペレーションシステム７０２１とアプリケーションプログラム７０２２が記憶されている。
【０１６９】
ここで、オペレーションシステム７０２１は、フレーム層、コアライブラリ層、駆動層など各種類のシステムプログラムを含み、各種類のベーシックサービスの実現及びハードウェアに基づくタスクの処理に用いられる。アプリケーションプログラム７０２２は、メディアプレイヤー（Ｍｅｄｉａ  Ｐｌａｙｅｒ）、ブラウザ（Ｂｒｏｗｓｅｒ）など各種類のアプリケーションプログラムを含み、各種類のアプリケーションサービスの実現に用いられる。本開示の実施例における方法を実現するプログラムは、アプリケーションプログラム７０２２に含まれる。
【０１７０】
本開示の実施例において、端末機器７００は、メモリ７０２に記憶されてプロセッサ７０１で動作するコンピュータプログラムを更に含む。コンピュータプログラムがプロセッサ７０１によって実行されると、上記のＵＥ能力報告方法又はスロットオフセット特定方法の各プロセスが実現され、かつ同一の技術効果を奏することもできるので、重複を避けるために、ここでは繰り返して記載しない。
【０１７１】
上記の本開示の実施例に開示される方法は、プロセッサ７０１に応用可能であり、又はプロセッサ７０１によって実現される。プロセッサ７０１は、信号処理能力を有する集積回路チップである。実現プロセスにおいて、上記方法の各ステップは、プロセッサ７０１におけるハードウェアの集積論理回路又はソフトウェア形式の指令によって遂行される。上記プロセッサ７０１は、汎用プロセッサ、ＤＳＰ（Ｄｉｇｉｔａｌ  Ｓｉｇｎａｌ  Ｐｒｏｃｅｓｓｏｒ）、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ  Ｐｒｏｇｒａｍｍａｂｌｅ  Ｇａｔｅ  Ａｒｒａｙ）又は他のプログラマブル論理デバイス、分離ゲート又はトランジスタ論理デバイス、分離ハードウェアコンポーネントであり、本開示の実施例に開示される各方法、ステップ及び論理ブロック図を実現し又は実行することができる。汎用プロセッサは、マイクロプロセッサ又は任意の通常プロセッサなどである。本開示の実施例に開示される方法のステップは、直接ハードウェアの復号プロセッサによって実行されて遂行されるか、復号プロセッサにおけるハードウェア及びソフトウェアモジュールの組み合わせによって実行されて遂行される。ソフトウェアモジュールは、ＲＡＭ、フラッシュメモリ、ＲＯＭ、ＰＲＯＭ又はＥＥＰＲＯＭ、レジスタなど本分野の周知のコンピュータ読み取り可能な記憶媒体に位置する。当該コンピュータ読み取り可能な記憶媒体は、メモリ７０２に位置する。プロセッサ７０１は、メモリ７０２における情報を読み取って、そのハードウェアと組み合わせて上記方法のステップを遂行する。具体的に、当該コンピュータ読み取り可能な記憶媒体にはコンピュータプログラムが記憶されており、コンピュータプログラムがプロセッサ７０１によって実行されると、上記のＵＥ能力報告方法又はスロットオフセット特定方法の実施例の各ステップが実現される。
【０１７２】
本開示の実施例に記載のこれらの実施例は、ハードウェア、ソフトウェア、ファームウェア、ミドルウェア、マイクロコード又はそれらの組み合わせによって実現される。ハードウェアによる実現について、処理ユニットは、１つ又は複数のＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔｓ）、ＤＳＰ（Ｄｉｇｉｔａｌ  Ｓｉｇｎａｌ  Ｐｒｏｃｅｓｓｉｎｇ）、ＤＳＰＤ（ＤＳＰ  Ｄｅｖｉｃｅ）、ＰＬＤ（Ｐｒｏｇｒａｍｍａｂｌｅ  Ｌｏｇｉｃ  Ｄｅｖｉｃｅ）、ＦＰＧＡ（Ｆｉｅｌｄ−Ｐｒｏｇｒａｍｍａｂｌｅ  Ｇａｔｅ  Ａｒｒａｙ）、汎用プロセッサ、コントローラ、マイクロコントローラ、マイクロプロセッサ、それ以外の本開示に記載の機能を実行するための電子ユニット又はそれらの組み合わせで実現される。
【０１７３】
ソフトウェアによる実現について、本開示の実施例に記載の機能を実行するモジュール（例えばプロセス、関数など）によって本開示の実施例に記載の技術を実現することができる。ソフトウェアコードは、メモリに保存されてプロセッサによって実行される。メモリは、プロセッサの中又はプロセッサの外部で実現することができる。
【０１７４】
図８を参照する。図８は、本開示の実施例に応用されるネットワーク機器の構造図である。このネットワーク機器は、上記スロットオフセットＹ特定方法の詳細を実現することができ、同一の効果を奏することもできる。図８に示すように、ネットワーク機器８００は、プロセッサ８０１と、トランシーバ８０２と、メモリ８０３と、ユーザインタフェース８０４と、バスインタフェースとを含む。
本開示の実施例において、ネットワーク機器８００は、メモリ８０３に記憶されてプロセッサ８０１で動作するコンピュータプログラムを更に含む。コンピュータプログラムがプロセッサ８０１によって実行されると、上記のスロットオフセット特定方法の各プロセスが実現され、かつ同一の技術効果を奏することができるので、重複を避けるために、ここでは繰り返して記載しない。
【０１７５】
図８において、バスアーキテクチャは、任意数の相互接続するバスとブリッジを含み、具体的に、プロセッサ８０１をはじめとする１つ又は複数のプロセッサとメモリ８０３をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインタフェースにより、インタフェースが提供される。トランシーバ８０２は、複数の部品であってもよく、即ち送信機と受信機を含み、伝送媒体でほかの各種類の装置と通信するユニットとして提供される。ユーザ端末によっては、ユーザインタフェース８０４は、必要な機器と内部接続や外部接続するインタフェースであってもよい。接続する機器は、キーパッド、ディスプレイ、スピーカ、マイクロフォン、ジョイスティックなどを含むが、それらに限られない。
【０１７６】
プロセッサ８０１は、バスアーキテクチャと通常の処理を管理する。メモリ８０３は、プロセッサ８０１による操作実行時に使用されるデータを記憶できる。
【０１７７】
本開示の実施例は、コンピュータプログラムが記憶されているコンピュータ読み取り可能な記憶媒体を更に提供する。このコンピュータプログラムがプロセッサによって実行されると、上記のＵＥ能力報告方法又はスロットオフセット特定方法の実施例の各プロセスが実現され、かつ同一の技術効果を奏することができるので、重複を避けるために、ここでは繰り返して記載しない。ここで、前記コンピュータ読み取り可能な記憶媒体は、例えば、リードオンリーメモリＲＯＭ（Ｒｅａｄ  Ｏｎｌｙ  Ｍｅｍｏｒｙ）、ランダムアクセスメモリＲＡＭ（Ｒａｎｄｏｍ  Ａｃｃｅｓｓ  Ｍｅｍｏｒｙ  ）、磁気ディスク又は光ディスクなど等である。
【０１７８】
本開示の実施例は、コマンドを含むコンピュータプログラムプロダクトを更に提供する。コンピュータが前記コンピュータプログラムプロダクトの前記コマンドを実行させると、前記コンピュータは、上記のＵＥ能力報告方法又はスロットオフセット特定方法を実行する。具体的に、このコンピュータプログラムプロダクトは、上記端末機器で動作可能である。
【０１７９】
本明細書に開示された実施例に記載の各例のユニット及びアルゴリズムのステップが、電子ハードウェア、又はコンピュータソフトウェアと電子ハードウェアの組み合わせによって実現可能であることは、当業者が理解できる。これらの機能がいったいハードウェアによって実行されるか、それともソフトウェアによって実行されるかは、技術手段の特定な応用や設計の制限条件によって決められる。当業者は、各特定な応用に対し、異なる方法によって記載の機能を実現することができるが、これらの実現は、本開示の範囲を超えたものとされるべきではない。
【０１８０】
記載の便利や簡潔化のために、以上記載したシステム、装置及びユニットの具体的な動作プロセスは、前記方法実施例における対応プロセスを参照してもよく、ここでは繰り返して記載しない。これは、当業者にとって自明である。
【０１８１】
本開示で提供されるいくつかの実施例において、開示されたシステム、装置及び方法は、他の方式で実施され得ることを理解すべきである。以上記載した装置実施例は、単に例示的なものである。例えば、記載したユニットの区分は、単に論理機能の区分であり、実際に実現する際に別の区分方式がある。例えば、複数のユニット又はコンポーネントは、組み合わせてもよく、別のシステムに一体化されてもよく、又は、一部の特徴は、無視されてもよく、又は実行されなくてもよい。また、示されており又は議論されている各構成部分の相互間の結合や直接結合や通信接続は、インタフェース、機器又はユニットを介した間接結合や通信接続であってもよく、電気的、機械的、又は他の形式であってもよい。
【０１８２】
以上個別部品として説明したユニットは、物理的に離間したものであってもよく、そうでなくてもよい。ユニットとして示した部品は、物理ユニットであってもよく、そうでなくてもよい。すなわち、一箇所に位置してもよく、複数のネットワークユニットに位置してもよい。実際の必要に応じてそのうちの一部又はすべてのユニットを選択して本実施例の目的を実現する。
【０１８３】
また、本開示の各実施例における各機能的ユニットは、全て１つの処理ユニットに一体化されていてもよいし、物理的に別々に存在していてもよいし、２つ以上のユニットが１つのユニットに一体化されてもよい。
【０１８４】
前記機能がソフトウェア機能ユニットの形式で実現され、独立なプロダクトとして販売又は使用される場合、１つのコンピュータ読み取り可能な記憶媒体に記憶されてもよい。このような理解に基づき、本開示の実施例による技術手段の実質的又は従来技術に貢献した部分は、ソフトウェアプロダクトの形式で現れる。１つの記憶媒体に記憶される当該コンピュータソフトウェアプロダクトは、本開示の各実施例に記載される方法のすべて又は一部をコンピュータ機器（パーソナルコンピュータ、サーバ、又はネットワーク機器であってもよい）に実行させるためのいくつかのコマンドを含む。上述した記憶媒体は、Ｕディスク、移動ハードディスク、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、磁気ディスク又は光ディスクなど、プログラムコードを格納することができる様々な媒体を含む。
【０１８５】
以上の記載は、本願の具体的な実施形態に過ぎない。本願の保護範囲は、これに限定されない。当業者が本願に開示されている技術範囲内に容易に想到できる変化又は差し替えは、いずれも本願の保護範囲内に含まれるべきである。従って、本願の保護範囲は、特許請求の範囲を基準とするべきである。
【図１】
2021510963.tif 000016
【図２Ａ】
2021510963.tif 000017
【図２Ｂ】
2021510963.tif 000018
【図３】
2021510963.tif 000019
【図４】
2021510963.tif 000020
【図５Ａ】
2021510963.tif 000021
【図５Ｂ】
2021510963.tif 000022
【図６】
2021510963.tif 000023
【図７】
2021510963.tif 000024
【図８】
2021510963.tif 000025
【手続補正書】
【提出日】令和2年7月22日(2020.7.22)
【手続補正１】
【補正対象書類名】特許請求の範囲
【補正対象項目名】全文
【補正方法】変更
【補正の内容】
【特許請求の範囲】
【請求項１】
端末機器に応用されるスロットオフセット特定方法であって、
ネットワーク機器から送信されたＣＳＩ（Ｃｈａｎｎｅｌ  Ｓｔａｔｕｓ  Ｉｎｆｏｒｍａｔｉｏｎ）報告要求情報を受信することと、
前記ＣＳＩ報告要求情報に基づいて基準スロットオフセットＴを特定することと、
前記基準スロットオフセットＴに基づいてＣＳＩ基準リソースのスロットオフセットを特定することとを含み、
ここで、前記ＣＳＩ基準リソースのスロットオフセットは、前記端末機器から前記ネットワーク機器にＣＳＩを報告するスロットと前記ＣＳＩ基準リソースが位置する他のスロットとの間の時間間隔を指す、スロットオフセット特定方法。
【請求項２】
前記の前記ＣＳＩ報告要求情報に基づいて基準スロットオフセットＴを特定する前に、ネットワーク機器によって予め設定された基準スロットオフセットＴを受信することを更に含み、
前記の前記ＣＳＩ報告要求情報に基づいて基準スロットオフセットＴを特定することは、
前記ＣＳＩ報告要求情報に基づいて、報告が必要な目標ＣＳＩ報告を特定することと、
前記目標ＣＳＩ報告にマッチングする基準スロットオフセットＴを、ネットワーク機器によって予め設定された基準スロットオフセットＴの中から特定することとを含む、請求項１に記載のスロットオフセット特定方法。
【請求項３】
前記の前記ＣＳＩ報告要求情報に基づいて基準スロットオフセットＴを特定することは、
前記ＣＳＩ報告要求情報に基づいてＣＳＩ報告のＣＳＩ計算時間を特定することと、
前記ＣＳＩ計算時間に基づいて基準スロットオフセットＴを特定することとを含む、請求項１に記載のスロットオフセット特定方法。
【請求項４】
前記の前記ＣＳＩ報告要求情報に基づいてＣＳＩ報告のＣＳＩ計算時間を特定することは、
前記ＣＳＩ報告要求情報に基づいて、ＣＳＩ報告に対応するヌメロロジー及びＣＳＩ計算複雑度レベルを特定することと、
前記ヌメロロジー及び前記ＣＳＩ計算複雑度レベルでのＣＳＩ報告のＣＳＩ計算時間を特定することとを含み、
ここで、前記の前記ヌメロロジー及び前記ＣＳＩ計算複雑度レベルでのＣＳＩ報告のＣＳＩ計算時間を特定することは、
端末機器のＣＳＩ計算関連能力に基づいて、前記ヌメロロジー及び前記ＣＳＩ計算複雑度レベルでのＣＳＩ報告のＣＳＩ計算時間を特定することと、
ネットワーク機器によって予めシグナリングで設定された前記ヌメロロジー及び前記ＣＳＩ計算複雑度レベルでのＣＳＩ報告のＣＳＩ計算時間を受信することと、
所定のＣＳＩ計算時間リストに基づいて、前記ヌメロロジー及び前記ＣＳＩ計算複雑度レベルでのＣＳＩ報告のＣＳＩ計算時間を特定することと、のうちのいずれか１つを含む、請求項３に記載のスロットオフセット特定方法。
【請求項５】
前記の前記ＣＳＩ計算時間に基づいて基準スロットオフセットＴを特定することは、
前記ＣＳＩ計算時間と、１つのスロットに含まれるＯＦＤＭシンボル数の比を特定することと、
前記比を切り上げて整数を得ることと、
前記整数を基準スロットオフセットＴとして特定することとを含む、請求項３に記載のスロットオフセット特定方法。
【請求項６】
前記の前記ＣＳＩ計算時間に基づいて基準スロットオフセットＴを特定することは、
ＣＳＩ報告要求情報に基づいて特定されたＣＳＩ報告が周期的又は半持続的ＣＳＩ報告である場合、前記ＣＳＩ計算時間に基づいて第１基準スロットオフセットＴ１を特定することを含む、請求項３〜５のいずれか１項に記載のスロットオフセット特定方法。
【請求項７】
前記の前記ＣＳＩ計算時間に基づいて基準スロットオフセットＴを特定することは、
ＣＳＩ報告要求情報に基づいて特定されたＣＳＩ報告が非周期的ＣＳＩ報告であり、且つネットワーク機器によってＤＣＩ（Ｄｏｗｎｌｉｎｋ  Ｃｏｎｔｒｏｌ  Ｉｎｆｏｒｍａｔｉｏｎ）で指示されるＣＳＩ報告スロットと、前記ＣＳＩ報告請求情報を含むＤＣＩが存在するスロットとが同一スロットでない場合、前記ＣＳＩ計算時間に基づいて第２基準スロットオフセットＴ２を特定することを含む、請求項３〜５のいずれか１項に記載のスロットオフセット特定方法。
【請求項８】
複数のＣＳＩ報告があることをＣＳＩ報告要求情報によって指示し、複数のＣＳＩ報告のＣＳＩ計算時間に基づいて特定された基準スロットオフセットＴの数が複数である場合、
前記の前記基準スロットオフセットＴに基づいてＣＳＩ基準リソースのスロットオフセットを特定することは、特定された複数の基準スロットオフセットＴの最大値に基づいて、ＣＳＩ基準リソースのスロットオフセットを特定することを含み、
又は、
前記の前記基準スロットオフセットＴに基づいてＣＳＩ基準リソースのスロットオフセットを特定することは、特定された複数の基準スロットオフセットＴのうちの異なる基準スロットオフセットＴに基づいて、少なくとも２つのＣＳＩ基準リソースのスロットオフセットを特定することを含む、請求項３〜５のいずれか１項に記載のスロットオフセット特定方法。
【請求項９】
端末機器にサポートされるＣＳＩ報告タイプ、
端末機器にサポートされるＣＳＩ報告数の最大値、
端末機器にサポートされるＣＳＩ報告タイプの異なるヌメロロジーにおける少なくとも１つのＣＳＩ計算複雑度レベルに対応するＣＳＩ計算時間、及び
端末機器にサポートされるＣＳＩ計算時間リストの識別子、のうちの１つ又は複数の組み合わせを含むＣＳＩ計算関連能力をネットワーク機器に報告することを更に含む、請求項１〜８のいずれか１項に記載のスロットオフセット特定方法。
【請求項１０】
前記ＣＳＩ計算関連能力は、
端末機器による同時更新が可能な、複数のＣＣに属するＣＳＩ情報及び対応するＣＳＩ計算複雑度レベルでのＣＳＩ計算時間、及び、
端末機器による同時更新が可能な、異なるＣＳＩ報告タイプ又はＣＳＩ計算複雑度レベルのＣＳＩ報告組合せ情報及び対応するＣＳＩ計算時間、のうちの１つ又は複数の組み合わせを更に含む、請求項９に記載のスロットオフセット特定方法。
【請求項１１】
ネットワーク機器に応用されるスロットオフセット特定方法であって、
端末機器が目標ＣＳＩ報告を生成するＣＳＩ計算時間を特定することと、
前記ＣＳＩ計算時間に基づいて基準スロットオフセットＴを特定することと、
前記基準スロットオフセットＴを前記端末機器に送信することとを含む、スロットオフセット特定方法。
【請求項１２】
前記の端末機器が目標ＣＳＩ報告を生成するＣＳＩ計算時間を特定することは、
端末機器から報告された、前記端末機器が目標ＣＳＩ報告を生成するＣＳＩ計算時間を受信することを含み、
又は、
前記の端末機器が目標ＣＳＩ報告を生成するＣＳＩ計算時間を特定することは、
端末機器から報告された、前記端末機器にサポートされるＣＳＩ計算時間リスト識別子を受信することと、
前記識別子に基づいて、所定のＣＳＩ計算時間リストセットから、前記識別子にマッチングする目標ＣＳＩ計算時間リストを特定することと、
前記目標ＣＳＩ計算時間リストから、目標ＣＳＩ報告にマッチングするＣＳＩ計算時間を見つけ出すこととを含む、請求項１１に記載のスロットオフセット特定方法。
【請求項１３】
前記の前記ＣＳＩ計算時間に基づいて基準スロットオフセットＴを特定することは、
前記ＣＳＩ計算時間と、１つのスロットに含まれるＯＦＤＭシンボル数の比を特定することと、
前記比を切り上げて整数を得ることと、
前記整数を基準スロットオフセットＴとして特定することとを含む、請求項１１に記載のスロットオフセット特定方法。
【請求項１４】
端末機器であって、
ネットワーク機器から送信されたＣＳＩ報告要求情報を受信するための第１受信モジュールと、
前記ＣＳＩ報告要求情報に基づいて基準スロットオフセットＴを特定するための第１特定モジュールと、
前記基準スロットオフセットＴに基づいてＣＳＩ基準リソースのスロットオフセットを特定するための第２特定モジュールとを含み、
ここで、前記ＣＳＩ基準リソースのスロットオフセットは、前記端末機器から前記ネットワーク機器にＣＳＩを報告するスロットと前記ＣＳＩ基準リソースが位置する他のスロットとの間の時間間隔を指す、端末機器。
【請求項１５】
ネットワーク機器であって、  
端末機器が目標ＣＳＩ報告を生成するＣＳＩ計算時間を特定するための第４特定モジュールと、
前記ＣＳＩ計算時間に基づいて基準スロットオフセットＴを特定するための第５特定モジュールと、
前記基準スロットオフセットＴを前記端末機器に送信するための送信モジュールとを含む、ネットワーク機器。
【国際調査報告】
2021510963.tif 000026
2021510963.tif 000027
2021510963.tif 000028
2021510963.tif 000029